(57)【特許請求の範囲】
【請求項１】
記録媒体の種別を示す識別部が設けられた記録媒体に主データを光学的な変化として読み出し可能に記録し、副データを記録媒体の種別に対応した方式に基づいて上記主データの少なくとも一部に埋め込んで上記主データとともに記録する記録媒体の記録方法であって、
上記副データは、少なくとも再生専用の記録媒体用の第１の方式と記録可能な記録媒体用の第２の方式のうち上記記録媒体の種別に対応する方式に基づいて埋め込まれ、
上記主データは、変調処理が施されて上記記録媒体に記録されるとともに、上記副データは上記変調処理された主データのマージンビットに埋め込まれる記録媒体の記録方法。
【請求項２】
上記主データの本文データは暗号化処理が施されて記録されるとともに、上記副データは上記主データの本文データに施された暗号化処理を復号するためのデータである請求項１記載の記録媒体の記録方法。
【請求項３】
上記副データは、上記主データに施される上記変調処理による接続条件を満足するように上記主データに埋め込まれる請求項１記載の記録媒体の記録方法。
【請求項４】
上記副データは、上記主データに施された変調処理に従って埋め込まれる請求項１記載の記録媒体の記録方法。
【請求項５】
上記主データは、ヘッダ部を備え、上記ヘッダ部に上記記録媒体の種別を示すデータが記録される請求項１記載の記録媒体の記録方法。
【請求項６】
主データを光学的な変化として読み出し可能に記録されるとともに、副データを記録媒体の種別に対応した方式に基づいて上記主データの少なくとも一部に埋め込んで上記主データとともに記録され、上記記録媒体の種別を示す識別部が設けられた記録媒体であって、
上記副データは、少なくとも再生専用の記録媒体用の第１の方式と記録可能な記録媒体用の第２の方式のうち上記記録媒体の種別に対応する方式に基づいて埋め込まれ、
上記主データは、変調処理が施されて上記記録媒体に記録されるとともに、上記副データは上記変調処理された主データのマージンビットに埋め込まれている記録媒体。
【請求項７】
上記副データは、上記主データに施される上記変調処理による接続条件を満足するように上記主データに埋め込まれる請求項６記載の記録
媒体。
【請求項８】
上記副データは、上記主データに施された変調処理に従って埋め込まれる請求項６記載の記録媒体。
【請求項９】
上記主データは、ヘッダ部を備え、上記ヘッダ部に上記記録媒体の種別を示すデータが記録される請求項６記載の記録媒体。
【請求項１０】
記録媒体に主データを光学的な変化として読み出し可能に記録し、副データを記録媒体の種別に対応した方式に基づいて上記記録媒体の所定の記録領域に、上記所定の記録領域に記録されるデータに埋め込んで記録する記録媒体の記録方法であって、
上記記録媒体は、上記データが記録される第１の記録領域と上記第１の記録領域に先立って読み出される位置に設けられ目次データが記録される第２の記録領域とを有し、
上記副データを上記第２の記録領域に記録されるデータに埋め込み、
上記第１の記録領域及び上記第２の記録領域に記録されるデータに所定の変調方式に基づいて変調処理を施して記録するとともに、上記副データは上記変調処理が施されたデータのマージンビットに埋め込まれる記録媒体の記録方法。
【請求項１１】
上記記録媒体の種別に対応した方式に基づいて上記マージンビットが選択されることによって上記副データが埋め込まれる請求項１０記載の記録媒体の記録方法。
【請求項１２】
上記副データは、上記変調処理による接続条件を満足するように上記データに埋め込まれる請求項１０記載の記録媒体の記録方法。
【請求項１３】
上記副データを上記第２の記録領域の同期信号部分に埋め込む請求項１０記載の記録媒体の記録方法。
【請求項１４】
上記副データを上記第２の記録領域のサブコード部分に埋め込む請求項１０記載の記録媒体の記録方法。
【請求項１５】
上記副データは上記記録媒体に記録されるデータに施された暗号化処理を復号するためのデータである請求項１０記載の記録媒体の記録方法。
【請求項１６】
装着された記録媒体の種類を識別し、その識別結果に基づいて副データを上記装着された記録媒体に光学的な変化として読み出し可能に記録されるデータへ埋め込むデータ形式を選択し、記録を行わんとしている記録領域が上記副データを埋め込むべき記録領域であるか否かを判別し、その判別結果により、上記記録を行わんとしている領域が上記副データを埋め込むべき記録領域であったときには、上記選択されたデータ形式に基づいて上記副データを上記記録媒体の所定の記録領域に、上記所定の記録領域に記録されるデータに埋め込んで記録する記録媒体の記録方法であって、
上記記録媒体は、上記データが記録される第１の記録領域と上記第１の記録領域に先立って読み出される位置に設けられ目次データが記録される第２の記録領域とを有し、
上記副データを上記第２の記録領域に記録されるデータに埋め込み、上記第１の記録領域及び上記第２の記録領域に記録されるデータに所定の変調方式に基づいて変調処理を施して記録するとともに、
上記副データは上記変調処理が施されたデータのマージンビットに埋め込まれる記録媒体の記録方法。
【請求項１７】
上記記録媒体の種別の識別結果に基づいて上記マージンビットが選択されることによって上記副データが埋め込まれる請求項１６記載の記録媒体の記録方法。
【請求項１８】
上記主データは、変調処理が施されて上記記録媒体に記録されるとともに、上記副データは、上記変調処理による接続条件を満足するように上記データに埋め込まれる請求項１６記載の記録媒体の記録方法。
【請求項１９】
上記判別結果が、上記記録を行わんとしている領域が上記副データを埋め込むべき記録領域でなかったときには上記所定の変調方式にしたがったマージンビットが選択される請求項１７記載の記録媒体の記録方法。
【請求項２０】
上記第１の記録領域に記録されるデータは暗号化処理が施されて記録されるとともに、上記副データは上記第１の記録領域に記録されるデータに施された暗号化処理を復号するためのデータである請求項１６記載の記録媒体の記録方法。
【請求項２１】
装着された記録媒体の種類を識別し、その識別結果に基づいて副データを上記装着された記録媒体に光学的な変化として読み出し可能に記録されるデータへ埋め込むデータ形式を選択し、記録を行わんとしている記録領域が上記副データを埋め込むべき記録領域であるか否かを判別し、その判別結果により、上記記録を行わんとしている領域が上記副データを埋め込むべき記録領域であったときには、上記選択されたデータ形式に基づいて上記副データを上記記録媒体の所定の記録領域に、上記所定の記録領域に記録されるデータに埋め込んで記録する記録媒体の記録方法であって、
上記記録媒体には、再生専用に記録媒体であるのか記録可能な記録媒体であるのかを示す識別部が設けられ、上記方法は上記記録媒体の上記識別部に基づいて上記装着された記録媒体の種類を識別し、
上記第１の記録領域及び上記第２の記録領域に記録されるデータに所定の変調方式に基づいて変調処理を施して記録するとともに、上記副データは上記変調処理が施されたデータのマージンビットに埋め込まれる記録媒体の記録方法。
【請求項２２】
上記記録媒体の種別の識別結果に基づいて上記マージンビットが選択されることによって上記副データが埋め込まれる請求項２１記載の記録媒体の記録方法。
【請求項２３】
上記副データは、上記変調処理による接続条件を満足するように上記データに埋め込まれる請求項２１記載の記録媒体の記録方法。
【請求項２４】
装着された記録媒体の種類を識別し、その識別結果に基づいて副データを上記装着された記録媒体に光学的な変化として読み出し可能に記録されるデータへ埋め込むデータ形式を選択し、記録を行わんとしている記録領域が上記副データを埋め込むべき記録領域であるか否かを判別し、その判別結果により、上記記録を行わんとしている領域が上記副データを埋め込むべき記録領域であったときには、上記選択されたデータ形式に基づいて上記副データを上記記録媒体の所定の記録領域に、上記所定の記録領域に記録されるデータに埋め込んで記録する記録媒体の記録方法であって、
上記記録媒体には、再生専用に記録媒体であるのか記録可能な記録媒体であるのかを示す識別部が設けられ、上記方法は上記記録媒体の上記識別部に基づいて上記装着された記録媒体の種類を識別し、
上記記録媒体の反射率に基づいて追記可能な記録媒体であるか、書き換え可能な記録媒体であるのかを識別し、上記識別結果に基づいて上記マージンビットが選択されることによって上記副データが埋め込まれる記録媒体の記録方法。
【請求項２５】
入力されたデータに記録のため変調処理と記録する記録媒体の種類に基づいて選択されたデータ形式に基づいて上記データに副データを埋め込む処理を施すエンコード処理部と、上記エンコード部からの出力データが供給され記録媒体に記録を行うヘッド部と、上記入力されたデータに暗号化処理を施して上記エンコーダに供給する暗号化処理部を備える記録媒体の記録装置であって、
上記エンコード処理部は、上記暗号化処理部からの出力データに変調処理を施す変調処理部を備え、上記変調処理部によって上記暗号化処理部からの出力データに施された暗号化処理を解くためのデータを上記副データとして埋め込み、
上記変調処理部は、上記副データを上記変調処理が施されたデータのマージンビットに埋め埋め込む記録媒体の記録装置。
【請求項２６】
上記変調処理部は、上記記録媒体の種類に基づいて上記マージンビットを選択することによって上記副データを埋め込む請求項２５記載の記録媒体の記録装置。
【請求項２７】
上記変調処理部は、上記暗号化処理部からの出力データに施す変調処理による接続条件を満足するように上記マージンビットを選択し上記副データを埋め込む請求項２６記載の記録媒体の記録装置。
【請求項２８】
入力されたデータに記録のため変調処理と記録する記録媒体の種類に基づいて選択されたデータ形式に基づいて上記データに副データを埋め込む処理を施すエンコード処理部と、上記エンコード部からの出力データが供給され記録媒体に記録を行うヘッド部と、上記装置に装着された記録媒体の種類を識別する識別部を備え、上記識別部による識別結果に基づいて上記エンコード処理部は上記データ形式を選択して上記データに上記副データを埋め込む記録媒体の記録装置であって、
上記エンコード処理部は、上記暗号化処理部からの出力データに変調処理を施す変調処理部を備え、上記変調処理部によって上記暗号化処理部からの出力データに施された暗号化処理を解くためのデータを上記副データとして埋め込み、
上記変調処理部は、上記副データを上記変調処理が施されたデータのマージンビットに埋め込む記録媒体の記録装置。
【請求項２９】
上記変調処理部は、上記記録媒体の種類に基づいて上記マージンビットを選択することによって上記副データを埋め込む請求項２８記載の記録媒体の記録装置。
【請求項３０】
上記変調処理部は、上記暗号化処理部からの出力データに施す変調処理による接続条件を満足するように上記副データを埋め込む請求項２８記載の記録媒体の記録装置。
【請求項３１】
データが記録される第１の記録領域と上記第１の記録領域に先立って読み出される位置に設けられた第２の記録領域とを有する記録媒体にデータを光学的に読み出し可能に記録するヘッド部と、入力されたデータに記録のための変調処理と上記記録媒体の種類に基づいて選択されたデータ形式に基づいて上記データに副データを埋め込む処理を施すエンコード処理部と、上記第２の記録領域に記録するデータに上記副データが埋め込まれたデータを記録するように上記エンコード処理部と上記ヘッド部とを制御する制御部と、装着された記録媒体の種類を識別する識別部を備え、上記識別部による識別結果に基づいて上記エンコード処理部は上記データ形式を選択して上記データに上記副データを埋め込む記録媒体の記録装置であって、
上記エンコード処理部は、上記暗号化処理部からの出力データに変調処理を施す変調処理部を備え、上記変調処理部によって上記暗号化処理部からの出力データに施された暗号化処理を解くためのデータを上記副データとして埋め込み、
上記変調処理部は、上記副データを上記変調処理が施されたデータのマージンビットに埋め込む記録媒体の記録装置。
【請求項３２】
上記制御部は、記録媒体の記録せんとしている記録領域が上記第２の記録領域であるか否かを判別し、その判別結果が上記第２の記録領域であることを示しているときには上記ヘッド部を制御して上記副データが埋め込まれたデータを上記第２の記録領域に記録する請求項３１記載の記録媒体の記録装置。
【請求項３３】
上記制御部は、記録媒体の記録せんとしている記録領域が上記第２の記録領域であるか否かを判別し、その判別結果が上記第２の記録領域でなかったことを示しているときには上記ヘッド部を制御して上記エンコード処理部によって変調処理が施されたデータを上記記録媒体に記録する請求項３２記載の記録媒体の記録装置。
【請求項３４】
上記変調処理部は、上記記録媒体の種類に基づいて上記マージンビットが選択することによって上記副データを埋め込む請求項３１記載の記録媒体の記録装置。
【請求項３５】
上記変調処理部は、上記暗号化処理部からの出力データに施す変調処理による接続条件を満足するように上記副データを埋め込む請求項３１記載の記録媒体の記録装置。
【請求項３６】
上記制御部は、上記副データを上記第２の記録領域の同期信号部分に埋め込む請求項３１記載の記録媒体の記録装置。
【請求項３７】
上記制御部は、上記副データを上記第２の記録領域のサブコード部分に埋め込む請求項３１記載の記録媒体の記録装置。
【請求項３８】
記録媒体にデータを光学的な変化として読み出し可能に記録し、副データを記録媒体に記録するデータの種別に対応した方式に基づいて上記記録媒体の所定の記録領域に、上記所定の記録領域に記録されるデータに埋め込んで記録する記録媒体の記録方法であって、
上記記録媒体に記録されるデータに所定の変調処理を施した後に上記記録媒体に記録するとともに、上記副データを上記所定の変調処理が施されたデータのマージンビットに埋め込む記録媒体の記録方法。
【請求項３９】
上記記録媒体の記録を行わんとしている領域が上記副データを埋め込むべき上記所定の記録領域でなかったときには上記所定の変調方式にしたがったマージンビットが選択される請求項３８記載の記録媒体の記録方法。
【請求項４０】
上記副データは、上記記録媒体に記録されるデータがオリジナルのデータと非オリジナルのデータとで異なる請求項３８記載の記録媒体の記録方法。
【請求項４１】
上記副データは、上記記録媒体に記録されるデータがオリジナルのデータと非オリジナルのデータとで異なるデータパターンである請求項３８記載の記録媒体の記録方法。
【請求項４２】
記録媒体にデータを光学的な変化として読み出し可能に記録し、副データを記録媒体に記録するデータの種別に対応した方式に基づいて上記記録媒体の所定の記録領域に、上記所定の記録領域に記録されるデータに埋め込んで記録する記録媒体の記録方法であって、
上記記録媒体は、上記データが記録される第１の記録領域と上記第１の記録領域に先立って読み出される位置に設けられ目次データが記録される第２の記録領域とを有し、
上記副データを上記第２の記録領域に記録されるデータに埋め込み、
上記第１の記録領域及び上記第２の記録領域に記録されるデータに所定の変調方式に基づいて変調処理を施して記録するとともに、上記副データは上記変調処理が施されたデータのマージンビットに埋め込まれる記録媒体の記録方法。
【請求項４３】
上記記録媒体に記録されるデータの種別に対応した方式に基づいて上記マージンビットが選択されることによって上記副データが埋め込まれる請求項４２項記載の記録媒体の記録方法。
【請求項４４】
上記主データは、変調処理が施されて上記記録媒体に記録されるとともに、上記副データは、上記変調処理による接続条件を満足するように上記データに埋め込まれる請求項４２記載の記録媒体の記録方法。
【請求項４５】
上記副データを上記第２の記録領域の同期信号部分に埋め込む請求項４２記載の記録媒体の記録方法。
【請求項４６】
上記副データを上記第２の記録領域のサブコード部分に埋め込む請求項４２記載の記録媒体の記録方法。
【請求項４７】
上記記録媒体に記録されるデータは暗号化処理が施されて記録されるとともに、上記副データは上記記録媒体に記録されるデータに施された暗号化処理を復号するためのデータである請求項４２記載の記録媒体の記録方法。
【請求項４８】
更に上記記録媒体に記録されるデータがオリジナルのデータであるのか非オリジナルのデータであるのかを判別し、その判別結果に基づいてデータの形式を選択し、選択されたデータの形式に基づいて上記副データを埋め込む請求項４２記載の記録媒体の記録方法。
【発明の詳細な説明】
【０００１】
【発明の属する技術分野】
本発明は、例えばオーディオデータなどの主データ中に副データを埋め込んで記録するデータ記録方法及びデータ記録装置、並びに主データおよび副データが記録された記録媒体に関する。
【０００２】
【従来の技術】
従来、ＣＤ(Compact Disc）などの高速アクセスが可能な記録媒体に記録されたオーディオデータなどのデジタルデータは、高速かつ容易にコピーすることが可能である。しかも、デジタルデータのコピーにおいては、コピーされて得られた複製データは、元の情報に対して劣化がほとんどない。このため、著作権保護の観点から、不正なコピーに対して有効な対策を講じる必要性が叫ばれており、不正コピー防止技術が種々提案されている。
【０００３】
例えば、オーディオデータなどの主データに、この主データに影響を与えない形式で、コピー防止用の情報を埋め込む方法が提案されている。この方法によれば、そのコピー防止用の情報を再生できる装置でしか、主データを再生をすることができないようにすることができ、不正コピーの防止に有効である。
【０００４】
上述のように、主データに影響を与えない形式でコピー防止用の情報などの副データを主データに埋め込んだとしても、ディスクに記録されたデータそのものに等しいデータ、つまり、変調データレベルで、記録データのビットの伝達（コピー）が行われた場合には、その不正コピーを防止することが困難であった。
【０００５】
【発明が解決しようとする課題】
本発明の目的は、上述の点にかんがみ、変調データレベルで記録データのビットの伝達（コピー）が行われた場合であっても、不正コピーを簡単に検出することができるようなデータ記録方法及び装置、並びに記録媒体を提供することを目的とする。
【０００６】
上述のような目的を達成するために提案される本発明は、記録媒体の種別を示す識別部が設けられた記録媒体に主データを光学的な変化として読み出し可能に記録し、副データを記録媒体の種別に対応した方式に基づいて上記主データの少なくとも一部に埋め込んで上記主データとともに記録する記録媒体の記録方法であって、上記副データは、少なくとも再生専用の記録媒体用の第１の方式と記録可能な記録媒体用の第２の方式のうち上記記録媒体の種別に対応する方式に基づいて埋め込まれ、上記主データは、変調処理が施されて上記記録媒体に記録されるとともに、上記副データは上記変調処理された主データのマージンビットに埋め込まれることを特徴とする。
【０００７】
また、本発明は、主データを光学的な変化として読み出し可能に記録されるとともに、副データを記録媒体の種別に対応した方式に基づいて上記主データの少なくとも一部に埋め込んで上記主データとともに記録され、上記記録媒体の種別を示す識別部が設けられた記録媒体であって、上記副データは、少なくとも再生専用の記録媒体用の第１の方式と記録可能な記録媒体用の第２の方式のうち上記記録媒体の種別に対応する方式に基づいて埋め込まれ、上記主データは、変調処理が施されて上記記録媒体に記録されるとともに、上記副データは上記変調処理された主データのマージンビットに埋め込まれていることを特徴とする。
【０００８】
また、本発明は、記録媒体に主データを光学的な変化として読み出し可能に記録し、副データを記録媒体の種別に対応した方式に基づいて上記記録媒体の所定の記録領域に、上記所定の記録領域に記録されるデータに埋め込んで記録する記録媒体の記録方法であって、上記記録媒体は、上記データが記録される第１の記録領域と上記第１の記録領域に先立って読み出される位置に設けられ目次データが記録される第２の記録領域とを有し、上記副データを上記第２の記録領域に記録されるデータに埋め込み、上記第１の記録領域及び上記第２の記録領域に記録されるデータに所定の変調方式に基づいて変調処理を施して記録するとともに、上記副データは上記変調処理が施されたデータのマージンビットに埋め込まれることを特徴とする。
【０００９】
また、本発明は、装着された記録媒体の種類を識別し、その識別結果に基づいて副データを上記装着された記録媒体に光学的な変化として読み出し可能に記録されるデータへ埋め込むデータ形式を選択し、記録を行わんとしている記録領域が上記副データを埋め込むべき記録領域であるか否かを判別し、その判別結果により、上記記録を行わんとしている領域が上記副データを埋め込むべき記録領域であったときには、上記選択されたデータ形式に基づいて上記副データを上記記録媒体の所定の記録領域に、上記所定の記録領域に記録されるデータに埋め込んで記録する記録媒体の記録方法であって、上記記録媒体は、上記データが記録される第１の記録領域と上記第１の記録領域に先立って読み出される位置に設けられ目次データが記録される第２の記録領域とを有し、上記副データを上記第２の記録領域に記録されるデータに埋め込み、上記第１の記録領域及び上記第２の記録領域に記録されるデータに所定の変調方式に基づいて変調処理を施して記録するとともに、上記副データは上記変調処理が施されたデータのマージンビットに埋め込まれることを特徴とする。
【００１０】
また、本発明は、装着された記録媒体の種類を識別し、上記識別結果に基づいて副データを上記装着された記録媒体に光学的な変化として読み出し可能に記録されるデータへ埋め込むデータ形式を選択し、記録を行わんとしている記録領域が上記副データを埋め込むべき記録領域であるか否かを判別し、その判別結果により、上記記録を行わんとしている領域が上記副データを埋め込むべき記録領域であったときには、上記選択されたデータ形式に基づいて上記副データを上記記録媒体の所定の記録領域に、上記所定の記録領域に記録されるデータに埋め込んで記録する記録媒体の記録方法であって、上記記録媒体には、再生専用に記録媒体であるのか記録可能な記録媒体であるのかを示す識別部が設けられ、上記方法は上記記録媒体の上記識別部に基づいて上記装着された記録媒体の種類を識別し、上記第１の記録領域及び上記第２の記録領域に記録されるデータに所定の変調方式に基づいて変調処理を施して記録するとともに、上記副データは上記変調処理が施されたデータのマージンビットに埋め込まれることを特徴とする。
【００１１】
また、本発明は、装着された記録媒体の種類を識別し、上記識別結果に基づいて副データを上記装着された記録媒体に光学的な変化として読み出し可能に記録されるデータへ埋め込むデータ形式を選択し、記録を行わんとしている記録領域が上記副データを埋め込むべき記録領域であるか否かを判別し、その判別結果により、上記記録を行わんとしている領域が上記副データを埋め込むべき記録領域であったときには、上記選択されたデータ形式に基づいて上記副データを上記記録媒体の所定の記録領域に、上記所定の記録領域に記録されるデータに埋め込んで記録する記録媒体の記録方法であって、上記記録媒体には、再生専用に記録媒体であるのか記録可能な記録媒体であるのかを示す識別部が設けられ、上記方法は上記記録媒体の上記識別部に基づいて上記装着された記録媒体の種類を識別し、上記記録媒体の反射率に基づいて追記可能な記録媒体であるか、書き換え可能な記録媒体であるのかを識別し、上記識別結果に基づいて上記マージンビットが選択されることによって上記副データが埋め込まれることを特徴とする。
【００１２】
また、本発明は、入力されたデータに記録のため変調処理と記録する記録媒体の種類に基づいて選択されたデータ形式に基づいて上記データに副データを埋め込む処理を施すエンコード処理部と、上記エンコード部からの出力データが供給され記録媒体に記録を行うヘッド部と、上記入力されたデータに暗号化処理を施して上記エンコーダに供給する暗号化処理部を備える記録媒体の記録装置であって、上記エンコード処理部は、上記暗号化処理部からの出力データに変調処理を施す変調処理部を備え、上記変調処理部によって上記暗号化処理部からの出力データに施された暗号化処理を解くためのデータを上記副データとして埋め込み、上記変調処理部は、上記副データを上記変調処理が施されたデータのマージンビットに埋め埋め込むことを特徴とする。
【００１３】
また、本発明は、入力されたデータに記録のため変調処理と記録する記録媒体の種類に基づいて選択されたデータ形式に基づいて上記データに副データを埋め込む処理を施すエンコード処理部と、上記エンコード部からの出力データが供給され記録媒体に記録を行うヘッド部と、上記装置に装着された記録媒体の種類を識別する識別部を備え、上記識別部による識別結果に基づいて上記エンコード処理部は上記データ形式を選択して上記データに上記副データを埋め込む記録媒体の記録装置であって、上記エンコード処理部は、上記暗号化処理部からの出力データに変調処理を施す変調処理部を備え、上記変調処理部によって上記暗号化処理部からの出力データに施された暗号化処理を解くためのデータを上記副データとして埋め込み、上記変調処理部は、上記副データを上記変調処理が施されたデータのマージンビットに埋め込むことを特徴とする。
【００１４】
また、本発明は、データが記録される第１の記録領域と上記第１の記録領域に先立って読み出される位置に設けられた第２の記録領域とを有する記録媒体にデータを光学的に読み出し可能に記録するヘッド部と、入力されたデータに記録のための変調処理と上記記録媒体の種類に基づいて選択されたデータ形式に基づいて上記データに副データを埋め込む処理を施すエンコード処理部と、上記第２の記録領域に記録するデータに上記副データが埋め込まれたデータを記録するように上記エンコード処理部と上記ヘッド部とを制御する制御部と、装着された記録媒体の種類を識別する識別部を備え、上記識別部による識別結果に基づいて上記エンコード処理部は上記データ形式を選択して上記データに上記副データを埋め込む記録媒体の記録装置であって、上記エンコード処理部は、上記暗号化処理部からの出力データに変調処理を施す変調処理部を備え、上記変調処理部によって上記暗号化処理部からの出力データに施された暗号化処理を解くためのデータを上記副データとして埋め込み、上記変調処理部は、上記副データを上記変調処理が施されたデータのマージンビットに埋め込むことを特徴とする。
【００１５】
また、本発明は、記録媒体にデータを光学的な変化として読み出し可能に記録し、副データを記録媒体に記録するデータの種別に対応した方式に基づいて上記記録媒体の所定の記録領域に、上記所定の記録領域に記録されるデータに埋め込んで記録する記録媒体の記録方法であって、上記記録媒体は、上記データが記録される第１の記録領域と上記第１の記録領域に先立って読み出される位置に設けられ目次データが記録される第２の記録領域とを有し、上記副データを上記第２の記録領域に記録されるデータに埋め込み、上記第１の記録領域及び上記第２の記録領域に記録されるデータに所定の変調方式に基づいて変調処理を施して記録するとともに、上記副データは上記変調処理が施されたデータのマージンビットに埋め込まれることを特徴とする。
【００１６】
本発明の更に他の目的、本発明によって得られる具体的な利点は、以下に説明される実施例の説明から一層明らかにされるであろう。
【００１７】
【発明の実施の形態】
以下、本発明の実施の形態を、図面を参照しながら説明する。以下に説明する実施の形態は、オーディオＰＣＭデータを暗号化して光ディスクに記録し、再生すると共に、副データとして、暗号化されたオーディオデータを解読するために用いる暗号キーのデータを埋め込むようにするものである。
【００１８】
なお、この実施の形態において、オーディオＰＣＭデータの記録には、レコード会社などでのオーサリングシステムにおける記録と、ユーザによる個人的使用における記録とがあり、前者の場合には、再生専用（以下、ＲＯＭ(Read Only Memory)タイプという）のディスクへの記録であり、後者の場合には、記録再生可能（以下、ＲＡＭ(Random Access Memory)タイプという）のディスクへの記録である。後者のＲＡＭタイプの光ディスクとしては、この実施の形態では、ＣＤ−Ｒ(Compact Disc-Recordable)およびＣＤ−ＲＷ(Compact Disc-ReWritable)ディスクが用いられる。
【００１９】
［データ記録方法及びデータ記録装置の第１の実施の形態］
［データ記録装置］
図１は、本発明の第１の実施の形態によるデータ記録装置のブロック図を示す。なお、図１に示すデータ記録装置は、左右２チャンネルのステレオオーディオ信号を取り扱うが、説明の簡単のため、図１では、１系統のみを示している。
【００２０】
図１において、アナログ入力端子１１を通じたアナログオーディオ信号は、ラインアンプ１２に供給されて適当なレベルに変換されると共にインピーダンス変換された後、ローパスフィルタ１３に供給される。ラインアンプ１２の出力にはディザ発生回路１４からのディザ信号が加算される。このディザ信号は、入力オーディオ信号が小信号のときの量子化雑音による高次高調波を抑制するために加えられる。
【００２１】
ローパスフィルタ１３によって帯域制限されたオーディオ信号は、サンプルホールド回路１５に供給され、所定のサンプリング周波数、この例では４４．１ｋＨｚでサンプルホールドされる。このサンプルホールド回路１５の出力がＡ／Ｄ変換器１６に供給されて、１６ビット／サンプルのオーディオＰＣＭデータに変換される。そして、このオーディオＰＣＭデータは、入力セレクタ１７を通じて暗号化回路１８に供給される。
【００２２】
記録しようとする入力オーディオ信号が、既に、サンプリング周波数が４４．１ｋＨｚ、１６ビット／サンプルのオーディオＰＣＭデータとされている場合には、そのオーディオＰＣＭデータは、デジタル信号入力端子１９を通じて入力セレクタ１７に供給される。
【００２３】
システムコントローラ２０は、入力セレクタ１７から、いずれのオーディオＰＣＭデータを出力するかの入力セレクト信号を、入力セレクタ１７に供給する。システムコントローラ２０は、キー入力部２１を通じた操作者の選択入力操作に応じた入力セレクト信号を生成する。
【００２４】
暗号化回路１８は、システムコントローラ２０からの暗号キーに基づいた暗号化処理を、オーディオＰＣＭデータに施し、その出力信号をＥＣＣエンコーダ２２に供給する。
【００２５】
ＥＣＣエンコーダ２２では、その入力データについて、ＣＩＲＣ(Cross Interleave Reed-Solomon Code)を用いるエラー訂正エンコード処理を行う。ＥＣＣエンコーダ２２は、そのエラー訂正エンコード処理したデータを記録変調回路２３に供給する。
【００２６】
記録変調回路２３では、ＥＦＭ(Eight-to-Fourteen Modulation)方式による記録変調を行う。この実施の形態の記録装置においては、この記録変調回路２３において、後述するように、システムコントローラ２０からの暗号キーを副データとして、主データに埋め込むようにするので、この記録変調回路２３は、副データ埋込部２３０を備えている。
【００２７】
記録変調回路２３は、その変調したデータを記録アンプ２４を通じて記録ヘッド２５に供給する。記録ヘッド２５は、光ディスク２８にデータを書き込む。光ディスク２８は、スピンドルモータ２６により回転駆動されるが、速度サーボ回路２７により、線速度一定で回転するようにサーボ制御される。速度サーボ回路２７は、例えば記録すべきオーディオＰＣＭ信号に基づいて速度サーボ信号を生成して、スピンドルモータ２６に供給する。
【００２８】
記録ヘッドサーボ回路２９は、システムコントローラ２０の制御の下に、記録ヘッド２５について、トラッキングサーボ制御、フォーカスサーボ制御、スレッドサーボ制御を行う。
【００２９】
記録装置がオーサリングシステムの場合には、光ディスク２８の代わりに、例えばガラス基板にフォトレジストが塗布された原盤としてのディスクが用いられ、記録信号に相当するレーザビームがフォトレジストに照射されることにより露光される。露光されたフォトレジストが現像されることにより、記録信号に応じたピットとなるくぼみが形成される。このように記録された原盤としてのディスクからものから、メタルマスターが作成され、このメタルマスター又はメタルマスターから製造されたスタンパを用いて記録信号に応じたピットパターンが形成されたＲＯＭタイプの光ディスクが作成される。
【００３０】
オーサリングシステム用の記録装置ではなく、コンスーマー用の記録装置の場合であって、光ディスク２８がＣＤ−Ｒディスクの場合には、記録ヘッド２５は、光ディスク２８の記録層を溶融させ、溶融させた部分が透明になるとともにこの部分に対応する光ディスクを構成する部分を変形させることにより、ＲＯＭタイプの光ディスクのピットと同様な機能を有する部分を形成することによりデータの記録が行われる。また、ＣＤ−ＲＷディスクの場合には、照射される光ビームによって記録層を、結晶と非晶質との間で変化させて反射率を変化することによりデータの記録が行われる。
【００３１】
なお、ＣＤ−Ｒディスクの場合の記録属性は、記録層の透明、不透明と基板の変形の有無であり、これらは、再生時には、光の反射率の違いとなって現れる。
【００３２】
ＣＤ−ＲＷディスクの場合の記録属性は、結晶又は非晶質であるが、再生時には、光の反射率の違いとなって現れる。また、ＲＯＭタイプのディスクのピットとランドの記録属性も、再生時には、光の反射率の違いとなって現れる。したがって、以上の３種のディスク媒体の場合には、記録属性は、再生時の光ピックアップからのＲＦ（Ｒａｄｉｏ ｆｒｅｑｕｅｎｃｙ）出力レベルの大（“Ｈ”）、小（“Ｌ”）として検出することができ、これにより、副データの再生が可能となる。
【００３３】
本発明は、このような再生時のＲＦ出力レベルとして検出できる記録属性のみを利用する場合に限られるのではなく、光磁気ディスクなどのような他の記録媒体についても、適用できることは言うまでもない。
【００３４】
［副データの記録方法の第１の例］
次に、副データの記録方法（埋め込み方法）の第１の例について説明する。この第１の例は、記録変調回路２３において、主データについてＥＦＭ方式の記録変調を行うと共に、その主データに、暗号キーの情報を副データとして埋め込むようにする場合である。以下、詳細に説明する。
【００３５】
ＥＦＭ方式の記録変調を行う記録変調回路２３では、バイト（８ビット）単位のシンボルを、１４ビットに変換すると共に、変換した１４ビットのデータシンボルとデータシンボルとの間に、以下のような目的で３ビットの接続ビット（以下、マージンビットという）を挿入する。
【００３６】
すなわち、ＥＦＭ方式により変調されて記録される主データは、ＣＤのようなＲＯＭタイプのディスクの場合、前述したように、ピットとランドという２種の記録属性そのものに対応させて記録するのではなく、光ビームの走査方向においてピットとランドとの変化点を、データビットの“１”として記録する、いわゆるエッジ記録されるものである。
【００３７】
したがって、ピット及びランドの光ビームの走査方向の長さは、あるデータビット“１”と、次のデータビット“１”との間隔に相当する。この間隔により、記録信号の周波数帯域が定まり、記録媒体としてのディスクに与えられた周波数帯域内で、主データが記録されるように、あるデータビット“１”と次のデータビット“１”との間隔が選定される。ＣＤフォーマットでは、あるデータビット“１”と、次のデータビット“１”との間隔が、３Ｔ（Ｔは１ビット分の長さ）以上、かつ、１１Ｔ以下を確保するように規定されている。
【００３８】
１４ビットのシンボルデータは、上記の点が考慮されて選定されている。しかし、１４ビットの１データシンボルの中だけで、上記の条件を満足することができても、データシンボル間での繋ぎ目の問題がある。そこで、３ビットの接続ビット（マージンビット）を挿入することにより、このデータシンボル間での繋ぎ目の問題を解決している。すなわち、３ビットのマージンビットとして、［０００］，［１００］，［０１０］，［００１］の４種を用意し、いずれかをデータシンボル間での繋ぎ目に挿入することで、上述した３Ｔ以上、かつ、１１Ｔ以下を確保するようにしている。
【００３９】
マージンビットのもう一つの役割は、ＤＣ（直流）バランスのずれの調整である。前述したように、主データは、エッジ記録であるので、データビット“１”の位置は、ピットとランドとの境目であるエッジに対応していればよい。したがって、データビット“１”の前あるいは後は、ピットとランドのいずれの記録属性の場合であっても構わない。しかし、記録信号のＤＣバランスからすれば、ピットとランドの出現確立は等しい方がよい。
【００４０】
１４ビットのデータシンボルも、記録信号のＤＣバランスを考慮して選ばれているが、それだけでは不十分であるので、マージンビットにより、そのＤＣバランスの調整が図られている。すなわち、マージンビットの前までのＤＳＶ(Digital Sum Value)を求め、そのＤＳＶができるだけ零となるように、マージンビットを、前記の４種の中から選定するものである。
【００４１】
以上のように、主データは、記録属性の変化、非変化として記録されている。
【００４２】
例えば、ＲＯＭタイプのディスクでは、いわばピットのエッジとして記録されており、ピットとランド自身には、情報は乗せられていない。この実施の形態では、ピットやランドなどの記録属性自身に副データを対応させることにより、副データを記録して埋め込むようにするものである。
【００４３】
すなわち、ＥＦＭ記録の場合には、前述したようなマージンビットが１データシンボル単位毎に挿入されるので、この挿入するマージンビットを選択することにより、１データシンボルの所定のビット位置、例えば先頭のビット位置を、ピットにするか、ランドにするかをコントロールすることが可能である。したがって、例えばピットを副データの“１”、“０”の一方に、ランドを副データの“１”、“０”の他方に対応させ、記録したい副データに応じてマージンビットを制御することにより、副データの１ビットを、主データの１データシンボルの例えば先頭の記録属性として埋め込むことができる。
【００４４】
前述したように、マージンビットは、ＤＣバランスのためのＤＳＶを調整する機能もあるので、すべての主データのデータシンボルに、副データを埋め込むと、ＤＣバランス調整への影響が大きくなるおそれがある。
【００４５】
そこで、この実施の形態では、マージンビットによるＤＳＶ調整に影響がほとんど出ない程度に、部分的に副データを埋め込むようにする。このとき、再生時に副データの検出が可能なように埋め込む必要があるのは勿論である。
【００４６】
マージンビットによるＤＳＶ調整に影響が出ない程度に、部分的に副データを埋め込む第１の方法は、ディスク上の所定の記録エリアにおいてのみ、副データを記録するように記録エリアを限定する方法である。
【００４７】
例えば、図２は、ディスク２８を示すものであり、このディスク２８の内周側のリードインエリア１と、外周側のリードアウトエリア２との間のデータ記録領域（プログラムエリア）３に、上述のようにエラー訂正エンコードされ、記録変調されたオーディオＰＣＭデータが、連続して、ピットによる記録トラック４として記録されている。
【００４８】
前記の副データを記録するディスク上の所定の記録エリアとして、図２のリードインエリア１や、リードアウトエリア２のみを使用する方法がある。さらに、リードインエリア１のうちのＴＯＣ(Table Of Contents)のエリアのみを使用する方法を用いることもできる。これらのエリアに記録される主データは、オーディオＰＣＭデータではなく、付加データなどの所定のデータである。
【００４９】
また、所定の記録エリアとして、プログラムエリア３のうちの、各フレームのサブコードエリアに、副データを埋め込むようにすることもできる。すなわち、図３は、１フレーム（５８８チャンネルビット）のデータの先頭付近のデータを示すもので、１フレームのデータの先頭の２４ビットは同期信号であり、この同期信号の後には３ビットのマージンビットが挿入され、その後サブコードが記録されるサブコードエリア６となる。このサブコードエリア６は、フレームの同期信号の直後のエリアであるので、再生時に容易に検出可能である。
【００５０】
マージンビットによるＤＳＶ調整に影響が出ない程度に、部分的に副データを埋め込む第２の方法は、特定の記録パターンとなる所定のデータ部分にのみ、副データを埋め込むようにする方法である。ここで、埋め込み可能となる記録パターンについて検討する。
【００５１】
例えば、ある１４ビットのデータシンボルＤＡと、それに続く１４ビットのデータシンボルＤＢとの間のマージンビットのビットアサインは、データシンボルＤＡ，ＤＢの記録パターンの組み合わせに応じて、図４Ａ〜図４Ｇに示すようなものとなる。
【００５２】
このうち、図４Ａ、図４Ｂ、図４Ｄに示す記録パターンの場合には、あるデータビット“１”と次のデータビット“１”との間隔として、３Ｔ以上、かつ、１１Ｔ以下を確保するようにするためには、固定の［０００］しか、マージンビットがアサインできないが、他の記録パターン部分では、マージンビットとして図４Ａ乃至図４Ｇに示すように２種類以上がアサインでき、データシンボルＤＢの先頭をピットにするか、ランドにするかを制御することができる。
【００５３】
図５Ａ乃至図５Ｄは、副データをどのようにして埋め込むかを説明するための図である。これは、図４Ｅの記録パターンの場合である。ここで、この図５Ａ乃至図５Ｇでは、再生ＲＦ信号が、ピットの部分ではローレベル“Ｌ”、ランドの部分では“Ｈ”となる場合として説明することにする。
【００５４】
図５Ａの場合は、マージンビットの前のデータＤＡの最後のデータビットに対応する記録属性はピットであり、一方、記録しようとする副データは、“１”、“０”のうちのピットに対応するビット値、例えば“０”（再生ＲＦ出力は“Ｌ”）である場合である。すなわち、マージンビットの区間の前後で、記録属性は等しくピットとする場合である。
【００５５】
このときには、マージンビットは、［０００］が選択され、マージンビットの区間では記録属性の反転はしない。これにより、マージンビットの後のデータシンボルＤＢの先頭のデータビットに対応する記録属性をピットとすることができ、副データのビット値“０”がマージンビットの後のデータシンボルＤＢの先頭の記録属性として記録される。
【００５６】
図５Ｂの場合は、マージンビットの前のデータＤＡの最後のデータビットに対応する記録属性はピットであり、一方、記録しようとする副データは、“１”、“０”のうちのランドに対応するビット値、例えば“１”（再生ＲＦ出力は“Ｈ”）であったとした場合である。すなわち、マージンビットの区間の前の記録属性はピットで、マージンビットの区間の後の記録属性がランドとなって、記録属性が変わる場合である。
【００５７】
このときには、マージンビットは、マージンビットの区間内において記録属性が反転させられるパターン、例えば［０１０］が選択される。これにより、マージンビットの後のデータシンボルＤＢの先頭のデータビットに対応する記録属性は、ランドとなり、副データのビット値“１”がマージンビットの後のデータシンボルＤＢの先頭の記録属性として記録される。
【００５８】
図５Ｃの場合は、マージンビットの前のデータＤＡの最後のデータビットに対応する記録属性はランドであり、一方、記録しようとする副データは、“１”、“０”のうちのピットに対応するビット値“０”（再生ＲＦ出力は“Ｌ”）であったとした場合である。すなわち、マージンビットの区間の前の記録属性はランドで、マージンビットの区間の後の記録属性がピットとなって、記録属性が変わる場合である。
【００５９】
このときには、マージンビットは、マージンビットの区間内において記録属性が反転させられるパターン、例えば［０１０］が選択され、記録属性が反転させられる。これにより、マージンビットの後のデータシンボルＤＢの先頭のデータビットに対応する記録属性は、ピット（“Ｌ”）となり、副データのビット値“０”がマージンビットの後のデータシンボルＤＢの先頭の記録属性として記録される。
【００６０】
図５Ｄの場合は、マージンビットの前のデータＤＡの最後はランドであり、一方、記録しようとする副データは、“１”、“０”のうちのランドに対応するビット値、例えば“１”であったとした場合である。すなわち、マージンビットの区間の前後で、記録属性は等しくランドとする場合である。
【００６１】
このときには、マージンビットは、例えば［０００］が選択され、記録属性の反転はしない。これにより、マージンビットの後のデータシンボルＤＢの先頭のデータビットに対応する記録属性は、ランド（“Ｈ”）となり、副データのビット値“１”がマージンビットの後のデータシンボルＤＢの先頭の記録属性として記録される。
【００６２】
なお、図５Ａ乃至図５Ｄは、図４Ｅの記録パターンの場合であるので、記録属性の反転のためのマージンビットとしては、［０１０］のパターンを用いたが、図４Ｃ）の場合には、［００１］が用いられ、また、図４Ｆの場合には、ＤＳＶに応じて［０１０］あるいは［００１］が用いられ、また、図４Ｇの場合には、ＤＳＶに応じて［１００］、［０１０］あるいは［００１］のパターンが用いられる。
【００６３】
以上のようにして、副データを主データに埋め込むことができるが、この実施の形態では、主データが、図４Ｃ、図４Ｅ、図４Ｆ、図４Ｇの場合の記録パターンとなる主データの所定のデータ部分を予め定めて、その所定のデータ部分に、副データを記録するようにする。例えば、データシンボルＤＡとＤＢとが、ＥＦＭ前の８ビットのデータシンボルで表したときに、共にオール“０”となる記録パターンのときに、副データを記録するようにする。
【００６４】
なお、この実施の形態では、サブコードを固定パターンとして記録するので、固定パターンの同期信号と、固定パターンのサブコードとを、前記データシンボルＤＡ，ＤＢとし、その間のマージンビットを副データにより制御して、サブコードの１４ビットのデータシンボルの先頭の記録属性として、副データを記録することもできる。
【００６５】
マージンビットによるＤＳＶ調整に影響が出ない程度に部分的に副データを埋め込む第１の方法と第２の方法とを組み合わせることも、勿論できる。すなわち、例えば、ＴＯＣエリアの中の特定の記録パターン部分に、副データを埋め込むようにする方法である。ＴＯＣエリアには、例えば、８ビットのデータシンボルで、オール“０”が連続するパターンや、オール“１”が連続するパターンが存在するので、それらの記録パターン部分を使用することができる。
【００６６】
副データを埋め込む所定のデータ部分を、複数個、選定して、それらの複数個の所定データ部分に副データを埋め込むようにすることもできる。
【００６７】
なお、副データを埋め込む特定の記録パターン部分は、記録データを実際の記録に先立って先読みして検出しておくことにより、その検出した特定記録パターン部分に副データを埋め込んで記録することができる。
【００６８】
もっとも、副データを埋め込む特定の記録パターン部分が、サブコードの部分の場合には、同期信号の後というように、予め定まった記録位置であるので、そのような先読みをする必要はない。すなわち、副データを埋め込む特定の記録パターン部分が、予め定まった記録位置であれば、上述のような記録データの先読みの必要はない。
【００６９】
以上のようにして、副データを主データに埋め込んで記録することができるが、前述もしたように、変調データレベルで記録データのビットの伝達（コピー）が行われた場合には、そのまま副データも伝達されてしまい、何等の方策も講じなければ、不正コピーを防止することが困難である。このことにかんがみ、この第１の実施の形態では、ディスクの種別に応じて副データについての記録方法に変更を加えることにより、副データが伝達されてしまっても、有効に不正コピーを防止することができるようにしている。
【００７０】
以下に説明する例においては、ディスク種別、例えばＲＯＭタイプのディスクと、ＲＡＭタイプのディスクとで、副データについての記録方法に変更を加えるようにする。
【００７１】
ディスクの種別に応じて副データについての記録方法に変更を加える第１の方法は、副データの２値データ“１”、“０”を、記録媒体の記録属性に対して、どのように対応させるかを、ＲＯＭタイプのディスクと、ＲＡＭタイプのディスクとで変更する方法である。図６は、その対応関係の一例である。
【００７２】
図６の例においては、ＲＯＭタイプのディスクの場合には、反射率が低く再生時のＲＦ信号レベルが低レベル（“Ｌ”）となるピットを、副データの“０”に対応させ、反射率が高く再生時のＲＦ信号レベルが高レベル（“Ｈ”）となるランドを副データの“１”に対応させる。そして、ＲＡＭタイプのディスクの場合には、逆に、反射率が低く再生時のＲＦ信号レベルが低レベル（“Ｌ”）となる記録属性を副データの“１”に対応させ、反射率が高く再生時のＲＦ信号レベルが高レベル（“Ｈ”）となる記録属性を副データの“０”に対応させる。
【００７３】
このようにすれば、例えばＲＯＭタイプのディスクから変調レベルでのデータの複製が行われたとしても、複製後のディスクのタイプは、ＲＡＭタイプであるので、副データのビットは反転したものとして再生されることになり、副データは、正しく再生することができなくなる。
【００７４】
ディスクの種別に応じて副データについての記録方法に変更を加える第２の方法は、副データを埋め込む所定のデータ部分を、少なくとも、ＲＯＭタイプのディスクと、ＲＡＭタイプのディスクとで変更する方法である。
【００７５】
図７は、この第２の方法の一例である。この例では、ＲＯＭタイプのディスクの場合には、ＥＦＭ処理前の８ビットのデータシンボルにおいて、オール“０”の後にオール“０”が続く記録パターン部分において、マージンビットを制御して、副データを埋め込むようにする。また、ＲＡＭタイプのディスクの場合には、ＥＦＭ処理前の８ビットのデータシンボルにおいて、オール“０”の後にオール“１”が続く記録パターン部分において、マージンビットを制御して、副データを埋め込むようにする。
【００７６】
図８は、この第２の方法の他の例である。この例においては、この実施の形態では、前述したように、サブコードエリアに固定パターンを記録するようにするものであるので、その固定パターンを、ディスクの種類によって異ならせるものである。サブコードエリアの前のデータは、同期信号であって、固定パターンであるので、同期信号とサブコードとの間のマージンビットを制御することで、副データをサブコードエリアの例えば先頭部分がピットであるか、ランドであるかにより、埋め込むことができる。
【００７７】
サブコードエリアのデータを、図８のように、ＲＯＭタイプのディスクと、ＣＤ−Ｒディスクと、ＣＤ−ＲＷディスクとで、異なる固定パターンとすることにより、再生側においては、サブコードエリアのデータをディスクの種別の判別用としても用いることもできる。
【００７８】
ディスクの種別に応じて副データについての記録方法に変更を加える第３の方法は、副データの２値データ“１”、“０”を、記録媒体の記録属性に対して、どのように対応させるかを、ＲＯＭタイプのディスクと、ＲＡＭタイプのディスクとで変更する第１の方法の発展型である。
【００７９】
すなわち、前述の第１の方法では、図６に示したように、副データの２値データ“１”、“０”の、記録媒体の記録属性に対する対応を、ＲＯＭタイプのディスクと、ＲＡＭタイプのディスクとで一義的に変更するようにしたが、この第３の方法では、副データの２値データと記録媒体の記録属性との対応を、副データの所定単位ごとに変更すると共に、その変更パターンを、少なくとも、ＲＯＭタイプのディスクと、ＲＡＭタイプのディスクとで変更するようにする。
【００８０】
図９は、この第３の方法の一例である。この例では、副データの２値データと記録媒体の記録属性との対応は、副データの１ビット単位で変更可能とすると共に、副データの４ビット毎に繰り返すパターンとするものである。以下の説明においては、副データの２値データと記録媒体の記録属性との対応を変更する単位をセットと呼ぶことにする。
【００８１】
この図９の例では、４セットを繰り返し周期とするものであるが、その４セットの繰り返しパターンを、この例では、図９に示すように、ＲＯＭタイプのディスクと、ＲＡＭタイプディスクのＣＤ−Ｒディスクと、ＣＤ−ＲＷディスクとで変更するようにするものである。
【００８２】
図９の例の副データ埋込みパターンにおいて、実線は副データの“１”を意味しており、また、破線は副データの“０”を意味している。ＲＯＭタイプのディスクの場合には、副データの４ビット毎の繰り返しのうちの連続する３ビットでは、ランド“Ｈ”を“１”に、ピット“Ｌ”を“０”に割り当て、副データの４ビット単位の繰り返しのうちの残りの１ビットをその逆のランド“Ｈ”を“０”に、ピット“Ｌ”を“１”に割り当てる。
【００８３】
ＣＤ−Ｒディスクの場合には、副データの４ビット毎の繰り返しにおいて、副データの２ビットごとに、ランド“Ｈ”を“１”に、ピット“Ｌ”を“０”に割り当てる状態と、その逆のランド“Ｈ”を“０”に、ピット“Ｌ”を“１”に割り当てる状態とが交互になるように割り当てる。
【００８４】
ＣＤ−ＲＷディスクの場合には、副データの４ビット毎の繰り返しにおいて、副データの１ビットごとに、ランド“Ｈ”を“１”に、ピット“Ｌ”を“０”に割り当てる状態と、その逆のランド“Ｈ”を“０”に、ピット“Ｌ”を“１”に割り当てる状態とが交互になるように割り当てる。
【００８５】
この第３の例によれば、例えばＲＯＭタイプのディスクから変調レベルでのデータの複製が行われたとしても、複製後のディスクのタイプは、ＲＡＭタイプであるので、副データの埋込みパターンが異なるものとなるので、副データは、正しく再生することができなくなり、不正なコピーを有効に防止することが可能になる。
【００８６】
上述の図９の例では、埋込みパターンにおいて、副データの２値データと記録媒体の記録属性との対応の変更単位であるセットは、副データの１ビット毎としたが、複数ビット、例えば１バイト（８ビット）毎で変更可能とするようにしてもよい。また、１セクタや３２セクタ（１パケット／１ブロック）毎に変更可能とするようにしてもよい。
【００８７】
繰り返しの周期も、４セット毎に限るものではない。例えば、ＲＯＭタイプのディスクとＲＡＭタイプのディスクとの２種で埋め込みパターンを変更する場合には、繰り返しのセットは２セット以上であればよい。
【００８８】
上述の第３の方法の変形例として、第４の方法がある。この方法は、副データの２値データと記録媒体の記録属性との対応を、副データの所定データ単位で変更するのではなく、副データのディスク上の記録領域の違いにより変更することにより、副データの埋込みパターンをディスクタイプに応じて変更するものである。
【００８９】
すなわち、リードインエリアと、リードアウトエリアと、ＴＯＣエリアなどのように、副データを記録するエリアごとに、副データの２値データと記録媒体の記録属性との対応を変更可能とする方法であって、ディスクタイプにより、それら複数個のエリアにおける副データの２値データと記録媒体の記録属性との対応を変更するようにする。
【００９０】
ディスクタイプにより、副データを記録するエリアを変更するようにしてもよい。
【００９１】
以上説明した、ディスクの種別に応じて副データについての記録方法に変更を加える第１の方法と、第２の方法とを組み合わせることも、勿論可能である。すなわち、ディスクの種別に応じて、副データの“０”、“１”のピット、ランドなどの記録属性との対応関係を変更すると共に、副データを埋め込む記録パターンを、ディスクの種別に応じて変更するものである。
【００９２】
ディスクの種別に応じて副データについての記録方法に変更を加える第１の方法、第２の方法、第３の方法あるいは第４の方法を任意に組み合わせることも可能である。例えば、副データは、記録媒体の種別により異なる特定の記録パターンを含む所定データ部分に記録すると共に、副データの“０”、“１”と、ピット、ランドなどの記録属性との対応関係の変更を含む副データの埋込みパターンを、記録媒体の種別により異ならせるものである。
【００９３】
なお、上述の第３の方法や第４の方法の場合には、副データの２値データと記録媒体の記録属性との対応を、複雑に定めることができるので、ディスクタイプにより、副データの埋込みパターンを変更しなくても、副データの秘匿性を高めることができる。
【００９４】
上述の第３の方法や第４の方法と、第２の方法の特定の記録パターンとを組み合わせる方法の場合には、埋込みパターンと、埋め込まれる位置を特定するための特定の記録パターンとの両方が判らないと、副データの再生ができないので、より、秘匿性が高くなるものである。
【００９５】
［ディスク識別の方法］
上述のようにして、不正コピーを有効に防止するための方策として、記録媒体の種別に応じて、副データの記録方法に変更を加えるようにする場合、再生装置では、いずれの種別の記録媒体であるかの判別が必要である。また、図８の例や図９の例の場合には、ＲＡＭタイプのディスクであっても、ＣＤ−ＲディスクとＣＤ−ＲＷディスクとのディスク識別が必要になる。
【００９６】
この実施の形態の場合、ＲＯＭタイプのディスクには、ウォブリングさせたピットを形成し、ＲＡＭタイプのディスクには、そのようなウォブリングピットは形成しないようにしている。このため、そのウォブリングピットからの情報の有無、つまりウォブリングピットの有無により、ＲＯＭタイプとＲＡＭタイプのディスク識別を行うことができる。
【００９７】
同じＲＡＭタイプのディスクのＣＤ−ＲディスクとＣＤ−ＲＷディスクとの判別は、周知のように、ディスクからの反射率の違いにより、両者の判別を行うことができるものである。
【００９８】
［データ記録装置の第２の例］
図８及び図９のように、ＲＡＭタイプのディスクをＣＤ−ＲディスクとＣＤＲＷディスクとに分ける場合には、図１に示したデータ記録装置を用いたときには、使用者が、記録媒体としてＣＤ−Ｒディスクを装填したか、ＣＤ−ＲＷディスクを装填したかを、例えばキー入力部２１から入力して記録装置に通知する必要がある。しかし、それでは、不便であるので、データ記録装置の第２の例においては、上述のディスク識別の方法を用いて、装填されたディスクがＣＤ−ＲディスクとＣＤ−ＲＷディスクのいずれであるかを自動的に判別するようにしている。
【００９９】
図１０は、装填されたディスクがＣＤ−ＲディスクとＣＤ−ＲＷディスクのいずれであるかを自動的判別する機能を備える第２の実施の形態のデータ記録装置の構成を示す図である。なお、図１０中で、図１と共通する部分については、同一の符号を用いて詳細な説明は省略する。
【０１００】
図１０の例においては、図１の例の記録ヘッド２５に代わって、光学ヘッド６１が設けられる。この光学ヘッド６１は、記録媒体からの読み出しのみではなく書込みが可能なものである。なお、書込み方式として光磁気記録方式を用いる場合には、図示しなかったが、ディスクを挟んで光学ヘッド６１に対向して、磁気ヘッドが設けられる。図１の例の場合と同様にして、記録アンプ２４からの記録データが光学ヘッド６１（あるいは磁気ヘッド）に供給される。
【０１０１】
この実施の形態の場合には、光学ヘッド６１により記録媒体２８から読み出された情報が反射率検出回路６２に供給される。そして、この反射率検出回路６２で検出された反射率は、記録媒体判別回路６３に供給される。記録媒体判別回路６３は、反射率検出回路６２からの反射率の検出出力に基づいて、装填されたディスク２８がＣＤ−Ｒディスクか、ＣＤ−ＲＷディスクかを判別し、その判別出力をシステムコントローラ２０に供給するようにする。
【０１０２】
システムコントローラ２０は、記録変調回路２３に、記録媒体判別回路６３からの判別出力に応じた制御信号を供給する。記録変調回路２３の副データ埋込部２３０は、その制御信号に基づき、ディスク２８がＣＤ−Ｒディスクか、ＣＤＲＷディスクかに応じた副データの埋め込み処理を行なう。
【０１０３】
なお、記録装置として、ＲＯＭタイプのディスクとＲＡＭタイプのディスクの全てのディスクの記録ができるようにした場合には、前述したウォブリングピットの検出回路をさらに設け、その検出出力を記録媒体判別回路６２に供給するようにすればよい。
【０１０４】
［副データの記録方法の第２の例］
上述した副データの記録方法の第１の例は、記録変調方式としてＥＦＭを用いて主データをディスクに記録する場合であるが、８−１６変調やＤＡＴ（Ｄｉｇｉｔａｌ Ａｕｄｉｏ Ｔａｐｅ）で使用されている８−１０変調では、マージンビット（接続ビット）は用いられず、その代わりに接続条件を満足し、かつ、ＤＳＶコントロールができるように複数個の変調パターンを用意している。
【０１０５】
例えば、変調パターンを選択するためのコード変換テーブルを複数個、例えば４テーブル用意し、上述した接続条件を満足し、かつ、ＤＳＶコントロールを達成するために、その４テーブルのうちから適切なテーブルを選択するようにする。副データの記録方法の第２の例は、このようにコード変換テーブルを用いて主データを記録する場合の副データの埋め込み記録方法である。
【０１０６】
８−１６変調や８−１０変調においても、主データがエッジ記録されるのは、上述の第１の例と同様である。この第２の例においては、第１の例と同様に、副データを記録属性、例えばＲＯＭタイプのディスクであれば、ピットまたはランドとして記録するものであるが、第１の例のマージンビットの代わりに、コード変換テーブルにより、例えば、ピットを記録するか、ランドを記録するかを制御することによって、副データを記録するものである。
【０１０７】
例えば、副データの“０”をピットに対応させる場合に、埋め込もうとする副データが“０”であるときには、前のデータシンボルとの繋ぎを考慮して、所定のビット位置、例えば先頭のビット位置がピットとなるデータシンボルが含まれるコード変換テーブルを用いて、主データを記録し、また、埋め込もうとする副データが“１”であるときには、前のデータシンボルとの繋ぎを考慮して、例えば先頭のビット位置がランドとなるデータシンボルが含まれるコード変換テーブルを用いて、主データを記録するものである。
【０１０８】
その他の、この副データの記録方法の第２の例では、副データをディスク上の所定のエリアに記録すること、所定の記録パターンのデータ部分に記録すること、副データについての記録方法にディスクの種別に応じて変更を加えること、などの方法については、副データの記録方法の第１の例で説明したのと全く同様にするものである。
【０１０９】
［副データの記録方法の例］
副データの記録方法の例を、図１１のフローチャートを参照しながら説明する。この図１１の例は、主データはＥＦＭによって記録する副データの記録方法の第１の例の場合であり、リードインエリア中のＴＯＣエリアの複数個のセクタのサブコードの先頭部分に、副データを埋め込む場合である。この場合、サブコードエリアには、図８に示したように、ディスクの種別に応じて異なる固定パターンが記録される。さらに、副データのビット値“０”、“１”を、記録属性に対してどのように対応させるかが、図６に示したように、ＲＯＭタイプのディスクと、ＲＡＭタイプのディスクとで逆となるようにされている。
【０１１０】
この例においては、図１１に示すように、先ず、記録しようとしている記録エリアが副データを埋め込むべきエリア、この例ではＴＯＣエリアであるか否か判別する（ステップＳ１）。ＴＯＣエリアであるか否かの判別は、例えばディスクに記録されているアドレスデータに基づいて判別する。ＴＯＣエリアでないときには、副データは埋め込まないので、マージンビットは、前述した３Ｔ以上１１Ｔ以下を確保すると共に、ＤＳＶをできるだけ零にするようなパターンのものを選定して、主データの記録を実行する（ステップＳ６）。ステップＳ５に進み、データの記録がすべて終了したか否か判別し、終了したと判別されたときは、記録処理を終了する。データの記録が未了であると判別したときには、ステップＳ１に戻る。
【０１１１】
ステップＳ１で、記録を行おうとしている記録エリアが副データを埋め込むエリアであると判別されたときには、記録しようとする主データが、その記録媒体の種別に応じて副データを埋め込むべき所定パターン部分、この例では同期信号及びサブコードのパターン部分であるか否かを判別し（ステップＳ２）、同期信号及びサブコードのパターン部分でなければ、ステップＳ６に進み、上述の主データのみの記録の場合と同様の処理を行う。
【０１１２】
ステップＳ２で、記録しようとする主データが、副データを埋め込むべき所定パターン部分である同期信号及びサブコードのパターン部分であると判別されたときには、この例において副データとして埋め込むべき暗号キーの２値データが“０”であるか、“１”であるかを判別し（ステップＳ３）、判別した副データの２値データに応じた記録属性となるように、記録しようとするディスクの種別を考慮してマージンビットを選定する（ステップＳ４）。
【０１１３】
すなわち、ステップＳ４においては、記録しようとするディスクの種別がＲＯＭタイプのディスクの場合には、副データと記録属性の例えばピット、ランドとの対応は、図６に示すような関係とされるので、副データとしての暗号キーのデータに応じて、サブコードエリアの先頭のビット位置の記録属性が、図６の関係を満足する記録属性となるように、マージンビットを選定する。
【０１１４】
記録しようとするディスクの種別がＲＡＭタイプのディスクの場合の、例えばＣＤ−Ｒディスクであるときには、副データと記録属性の反射率の違いとの対応は、図６に示すようなものとされるので、同様にして、副データとしての暗号キーのデータに応じて、サブコードエリアの先頭のビット位置の記録属性が、図６の関係を満足する記録属性となるように、マージンビットを選定する。
【０１１５】
記録しようとするディスクの種別がＲＡＭタイプのディスクの場合であって、ＣＤ−ＲＷディスクのときには、記録属性は、結晶又は非晶質であって、ＣＤＲディスクと同様に、反射率の違いとして表され、同様にして、副データとしての暗号キーのデータに応じて、サブコードエリアの先頭のビット位置の記録属性が、図６の関係を満足する記録属性となるように、マージンビットを選定する。
【０１１６】
このステップＳ４の次には、ステップＳ５に進み、データの記録がすべて終了したか否か判別し、終了したと判別されたときは、記録処理を終了する。また、データの記録が未了であると判別したときには、ステップＳ１に戻り、上述の処理を繰り返す。
【０１１７】
図１２の例は、主データは８−１６変調や８−１０変調によって記録する副データの記録方法の第２の例の場合であり、リードインエリア中のＴＯＣエリアの複数個のセクタのサブコードの先頭部分に、副データを埋め込む場合である。この図１２の例において、図１１の例と異なるのは、図１１のステップＳ４及びステップＳ６の代りにステップＳ７及びステップＳ８とされていて、マージンビットを選定する代りに、記録媒体の種類に応じて変調パターンをＤＳＶをコントロールするように選定する点のみである。
【０１１８】
以上の図１１及び図１２のフローチャートは、データ記録方法の例を説明するための図であるが、データ記録装置としては、記録媒体がＲＯＭタイプのディスクの場合には、図１の構成のデータ記録装置が用いられ、ＲＡＭタイプのＣＤＲディスク及びＣＤ−ＲＷディスクの場合には、図１０の構成のデータ記録装置が用いられる。そして、図１０の構成のデータ記録装置の場合には、図１１及び図１２のフローチャートに記録媒体の判別のステップが加わるものとなる。
【０１１９】
次に、図１０の構成のデータ記録装置を用いると共に、前述した、副データについての記録方法に変更を加える第３の方法で、図９に示したようにして、埋め込みパターンを記録媒体の種別に応じて変更する場合における記録方法の例について、図１３のフローチャートを参照しながら説明する。なお、この例では、副データのビット値と記録属性との対応は、副データの１ビット毎に変更可能である場合であって、図９に示したように、４ビット単位の繰り返しパターンの埋め込みパターンを、ディスクの種類に応じて変更するものとする。
【０１２０】
先ず、装填された記録媒体からの情報により記録媒体の種別を判別する（ステップＳ１１）。判別された記録媒体の種別に対応する副データの埋め込みパターンを認識する（ステップＳ１２）。
【０１２１】
次に、記録をお行おうとする記録エリアが副データを埋め込むべきエリアであるか否か、この例ではＴＯＣエリアであるか否か判別する（ステップＳ１３）。
【０１２２】
例えば、記録媒体としてのディスクから読み出されたアドレスデータに基づいてＴＯＣエリアか否かが判別される。ＴＯＣエリアでないと判別したときには、副データは埋め込まないので、マージンビットは、前述した３Ｔ以上１１Ｔ以下を確保すると共に、ＤＳＶをできるだけ零にするようなパターンのものを選定して、主データの記録を実行する（ステップＳ１８）。そして、ステップＳ１９に進み、データの記録がすべて終了したか否か判別し、終了したと判別されたときは、記録処理を終了する。ステップＳ１９でデータの記録が未了であると判別したときには、ステップＳ１３に戻る。
【０１２３】
ステップＳ１３で、記録エリアが副データを埋め込むエリアであると判別されたときには、記録しようとする主データが、副データを埋め込むべき所定パターン部分であるか否か、この例では同期信号及びサブコードのパターン部分であるか否かを判別し（ステップＳ１４）、そうでなければ、ステップＳ１８に進み、上述の主データのみの記録の場合と同様の処理を行う。
【０１２４】
ステップＳ１４で、記録しようとする主データが、副データを埋め込むべき所定パターン部分である同期信号及びサブコードのパターン部分であると判別されたときには、ステップＳ１２で判別した、その時に装填されたディスクの種類（ＣＤ−Ｒディスク又はＣＤ−ＲＷディスク）に応じた埋め込みパターンから、その部分に埋め込む副データのビットに対する記録属性との対応関係を検知する（ステップＳ１５）。
【０１２５】
この例において副データとして埋め込むべき暗号キーの２値データが“０”であるか、“１”であるかを判別し（ステップＳ１６）、その判別された副データの２値データが、前記ステップ１５で検知された副データのビットに対する記録属性との対応関係により定まる記録属性となるように、記録しようとするディスクの種別を考慮してマージンビットを選定する（ステップＳ１７）。
【０１２６】
すなわち、ステップＳ１７においては、記録しようとするディスクの種別がＣＤ−Ｒディスクであるときには、副データと記録属性の反射率の違いとの対応は、図９に示すように、４ビット毎に繰り返す埋め込みパターンにおいて副データの２ビット毎に変更され、また、ＣＤ−ＲＷディスクであるときには、副データと記録属性の反射率の違いとの対応は、図９に示すように、４ビット毎に繰り返す埋め込みパターンで副データにおいて１ビット毎に変更されるので、副データとしての暗号キーのデータに応じて、サブコードエリアの先頭のビット位置の記録属性が、それぞれディスクの種別に応じた図９の関係を満足する記録属性となるようにマージンビットを選定する。
【０１２７】
このステップＳ１７の次には、ステップＳ１９に進み、データの記録がすべて終了したか否か判別し、終了したと判別されたときは、記録処理を終了する。また、データの記録が未了であると判別したときには、ステップＳ１３に戻り、上述の処理を繰り返す。
【０１２８】
［データ再生装置の例］
図１４は、この発明の第１の実施の形態におけるデータ再生装置の一例のブロック図である。この例のデータ再生装置は、前述の図１、図１０のデータ記録装置で記録された記録媒体の再生装置である。
【０１２９】
光ディスク３０としては、前述のＲＯＭタイプのディスクと、ＲＡＭタイプのディスクとが装着可能であり、いずれのディスクからもデータ再生が可能である。この光ディスク３０は、スピンドルモータ３１がサーボ回路３２により回転速度制御されることにより、例えば従来のＣＤプレーヤと同様に例えば線速度一定となるように回転駆動される。光学ヘッド３３は、サーボ回路３２からのトラッキングサーボ信号、フォーカスサーボ信号、スレッドサーボ信号によりサーボ制御される。
【０１３０】
光ディスク３０から読み出されたデータは、ＲＦ回路３４を通じて復調回路３５に供給される。ＲＦ回路３４からは、トラッキングサーボ用出力、フォーカスサーボ用出力等が得られ、サーボ回路３２に供給される。
【０１３１】
復調回路３５では、ＥＦＭ変調して記録された主データは、エッジ検出部３５１でエッジ検出されて、記録変調されたデータが復調される。この実施の形態では、ＲＦレベル検出部３５２で、ディスク３０から取り出されたデータのＲＦレベルが検出され、副データ復号回路３８に供給される。
【０１３２】
復調回路３５で復調された主データは、ＥＣＣデコーダ３６に供給される。ＥＣＣデコーダ３６では、ＣＩＲＣを用いたエラー訂正処理が行なわれ、エラー訂正処理後のオーディオＰＣＭデータが暗号化解除回路３７に供給される。
【０１３３】
復調回路３５で復調され、ＥＣＣデコーダ３６でエラー訂正処理が行われた主データのうち、ＴＯＣに関する情報は、システムコントローラ４０に供給されて、種々の制御のために用いられる。
【０１３４】
この実施の形態では、ＥＣＣデコーダ３６からの主データ中のサブコードのデータも、システムコントローラ４０に供給され、前述した装着されたディスクの種別の判別用として用いられる。ただし、この主データ中のサブコードから検出されるディスク種別は、変調データレベルでのビットの伝達が行われていた場合には、正しいディスク種別を表しているとは限らない。
【０１３５】
この実施の形態では、ディスク特有の情報から、ディスク３０の種別を別途、判別する。すなわち、前述したように、この実施の形態の場合、ＲＯＭタイプのディスクには、例えばリードインエリアにウォブリングさせたピットが存在するが、ＲＡＭタイプのディスクには、そのウォブリングさせたピットが存在しない。ウォブリングピットの部分においては、そのピットのウォブリングに応じたプッシュプル信号が得られるので、リードインエリアからのデータの再生時に得られるプッシュプル信号を監視し、プッシュプル信号から所定のデータが抽出できるか否かによってウォブリングさせたピットが存在するかどうかを判別することができる。
【０１３６】
このため、ＲＦアンプ３４の出力は、ウォブル検出回路４１に供給される。このウォブル検出回路４１は、リードインエリアからのＲＦアンプ３４の出力中のプッシュプル信号を監視し、リードインエリアにウォブリングさせたピットが存在するか否かを検出し、その検出出力を媒体判別回路４２に供給する。
【０１３７】
記録媒体判別回路４２は、ウォブリングさせたピットが検出されたか否かにより、装填されたディスク３０がＲＯＭタイプのディスクかＲＡＭタイプのディスクかの媒体種別を判別する。そして、記録媒体判別回路４２は、その媒体種別の判別出力を、システムコントローラ４０に供給すると共に、副データ復号回路３８に供給する。
【０１３８】
副データ復号回路３８では、前述の副データの記録方法に応じて、特定の記録エリア、主データの所定のデータ部分において、ディスクの記録属性に対応して記録されている副データを検出し、復号する。
【０１３９】
例えば、副データが、前述のサブコードエリアの先頭部分に記録されているのであれば、各フレームの同期信号の後のサブコードエリアのＲＦレベルをサンプリングすることにより、副データを抽出する。
【０１４０】
副データを埋め込む所定データ部分の別の例として、ＲＯＭタイプのディスクの場合には、ＥＦＭ処理前の８ビットのデータシンボルが、オール“０”の後にオール“０”が続く記録パターン部分を、ＲＡＭタイプのディスクの場合には、ＥＦＭ処理前の８ビットのデータシンボルが、オール“０”の後にオール“１”が続く記録パターン部分を、それぞれ用いる場合には、副データ復号回路３８は、媒体判別回路４２の判別結果からディスクの種別を判別し、そして、エッジ検出部３５１で検出され、エラー訂正された主データの再生パターンが、ディスクの種別に応じた前記記録パターンと一致する部分を検出して、その部分に埋め込まれている副データを抽出する。すなわち、副データの埋め込み位置に相当するＲＦレベルをサンプリングして、副データを抽出する。
【０１４１】
その場合には、図１４で点線で示すように、ＥＣＣデコーダ３６からのデコード出力が副データ復号回路３８に供給される。この場合、副データ復号回路３８は、バッファメモリを備える必要がある。
【０１４２】
副データ復号回路３８は、媒体判別回路４２の判別結果から判別したディスクの種別から、記録属性が、副データの“０”、“１”に対してどのように対応しているかを判別して、前述のようにして抽出した副データの復号を行なう。
【０１４３】
こうして得られた副データは、この実施の形態では、暗号キーの情報であり、これは、暗号化解除回路３７に供給される。暗号化解除回路３７では、副データ復号回路３８からの暗号キーの情報に基づいて暗号化解除処理を行なう。暗号化解除回路３７は、暗号化解除できたか否かの結果をシステムコントローラ４０に供給するようにする。
【０１４４】
システムコントローラ４０は、暗号化解除できなかったときには、例えば、その旨を液晶ディスプレイ４４にメッセージとして表示すると共に、ディスクの再生動作を中止するように制御する。
【０１４５】
暗号化解除回路３７は、ＥＣＣエンコーダ３６からのオーディオＰＣＭデータについて、暗号化解除できたときには、そのオーディオＰＣＭ信号をデジタル出力端子３９から外部に出力すると共に、Ｄ／Ａ変換器５１に供給する。Ｄ／Ａ変換器５１は、オーディオＰＣＭ信号をアナログオーディオ信号に変換する。そのアナログオーディオ信号は、アパーチャ回路５２、ローパスフィルタ５３、ラインアンプ５４を通じて、アナログ出力端子５５から外部に出力される。
【０１４６】
なお、システムコントローラ４０は、光ディスク３０から読み込んだＴＯＣ情報や、キー入力部４３からの指示入力などに基づいて、再生開始、終了などを制御すると共に、前述したようにして、不正コピーにより作製されたディスクの再生であるか否かを判別して、不正コピーにより作製されたディスクの再生である時には、再生を中止するなどの制御も行う。
【０１４７】
［データ再生方法の例］
図１５は、図１４のデータ再生装置を用いたデータ再生方法の実施の形態を説明するためのフローチャートである。この例は、前述のデータ記録方法の例に対応するデータ再生方法の場合の例である。
【０１４８】
すなわち、図１５に示すように、先ず、前述もしたように、記録媒体としてのディスクからの情報により、ディスクの種別を判別する（ステップＳ２１）。この例では、前述したように、ウォブリング情報の有無によりＲＯＭタイプのディスクか、ＲＡＭタイプのディスクかを判別する。なお、ＣＤ−ＲディスクとＣＤ−ＲＷディスクをも判別する必要があるときには、図１０に示したように、ディスクからの反射率の違いにより、両者を判別する。
【０１４９】
次に、この例では、サブコードエリアのデータパターンが、前述したように、ディスクの種別に応じた固定パターンとされているので、そのサブコードエリアのデータパターンを検出して、それが示すディスクの種別を判別する（ステップＳ２２）。
【０１５０】
次に、ステップＳ２１とステップＳ２２とで判別したディスクの種別が―致しているか否か判別する（ステップＳ２３）。このステップＳ２２及びステップＳ２３の判別は、システムコントローラ４０で行なう。ここで、ディスク種別が不一致であるときには、記録データは、変調データレベルで不正にコピーされたものである確率が高い。
【０１５１】
このため、システムコントローラ４０は、図１４のデータ再生装置を、強制的に再生停止状態にし（ステップＳ２８）、表示部としての液晶ディスプレイ４４の画面に、不正なコピーにより作製されたディスク媒体である旨のメッセージを表示して、使用者に警報する（ステップＳ２９）。そして、再生処理ルーチンを終了する。
【０１５２】
ステップＳ２３において、ステップＳ２１とステップＳ２２とで判別したディスクの種別が一致していると判別したときには、判別されたディスクの種別に基づいて、副データを抽出して、復号する（ステップＳ２４）。すなわち、判別したディスクの種別に応じた記録パターンのデータ部分の記録属性として副データを抽出し、判別したディスクの種別に応じた副データの値と記録属性との対応関係から、抽出した副データを復号する。
【０１５３】
次に、復号した副データ、つまり、暗号キーを用いて主データのオーディオＰＣＭ信号の暗号化解除処理を実行し（ステップＳ２５）、その暗号化解除ができたか否か判別する（ステップＳ２６）。この判別は、システムコントローラ４０が実行して、暗号化解除ができなかったときには、システムコントローラ４０は、データ再生装置を、強制的に再生停止状態にし（ステップＳ２８）、表示部としての液晶ディスプレイ４４の画面に、不正なコピーにより作製されたディスク媒体である旨のメッセージを表示して、使用者に警報する（ステップＳ２９）。そして、再生処理ルーチンを終了する。
【０１５４】
ステップＳ２６で暗号化解除ができたときには、オーディオ再生信号を出力して（ステップＳ２７）、この再生処理ルーチンを終了する。
【０１５５】
以上のようにして、変調データレベルで、データが不正にコピーされたとしても、この実施の形態によれば、そのコピーされたデータの再生ができないようにすることができ、不正コピーを効果的に防止することができる。
【０１５６】
［第２の実施の形態］
上述の第１の実施の形態と、以下に説明する第２の実施の形態とでは、有効に不正コピーを防止することができるように、副データについての記録方法に変更を加える方法が異なるだけで、その他は両実施の形態で同様の構成を有するものである。
【０１５７】
上述の第１の実施の形態では、ディスクの種別に応じて副データについての記録方法に変更を加えることにより、副データが伝達されてしまっても、有効に不正コピーを防止することができるようにした。これに対して、この第２の実施の形態では、記録媒体に記録する主データの種別、すなわち、主データがオリジナルデータであるか、コピーされたデータであるかに応じて副データについての記録方法に変更を加えることにより、副データが伝達されてしまっても、有効に不正コピーを防止することができるようにする。
【０１５８】
記録する主データの種別に応じて副データについての記録方法に変更を加える第１の方法は、副データの２値データ“１”、“０”を、記録媒体の記録属性に対して、どのように対応させるかを、記録する主データがオリジナルデータの場合と、記録する主データがコピーデータの場合とで変更する方法である。図１６は、その対応関係の一例である。
【０１５９】
すなわち、図１６の例においては、記録する主データがオリジナルデータの場合には、反射率が低く再生時のＲＦ信号レベルが低レベル（“Ｌ”）となるピットを、副データの“０”に対応させ、反射率が高く再生時のＲＦ信号レベルが高レベル（“Ｈ”）となるランドを副データの“１”に対応させる。
【０１６０】
そして、記録する主データがコピーデータの場合には、逆に、反射率が低く再生時のＲＦ信号レベルが低レベル（“Ｌ”）となる記録属性を副データの“１”に対応させ、反射率が高く再生時のＲＦ信号レベルが高レベル（“Ｈ”）となる記録属性を副データの“０”に対応させる。
【０１６１】
このようにすれば、例えばオリジナルデータが記録された記録媒体から変調レベルでのデータの複製が行われたとしても、複製後の主データの種別は、コピーであるので、副データのビットは反転したものとして再生されることになり、副データは、正しく再生することができなくなる。
【０１６２】
記録する主データの種別に応じて副データについての記録方法に変更を加える第２の方法は、副データを埋め込む所定のデータ部分を、少なくとも、オリジナルデータの場合と、コピーデータの場合とで変更する方法である。
【０１６３】
図１７は、この第２の方法の一例である。この例では、記録する主データがオリジナルの場合には、ＥＦＭ処理前の８ビットのデータシンボルにおいて、オール“０”の後にオール“０”が続く記録パターン部分において、マージンビットを制御して、副データを埋め込むようにする。記録する主データがコピーデータの場合には、ＥＦＭ処理前の８ビットのデータシンボルにおいて、オール“０”の後にオール“１”が続く記録パターン部分において、マージンビットを制御して、副データを埋め込むようにする。
【０１６４】
図１８は、上述した第２の方法の他の例である。この例においては、サブコードエリアに固定パターンを記録するようにすると共に、その固定パターンを、主データの種別によって異ならせるものである。サブコードエリアの前のデータは、同期信号であって、固定パターンであるので、同期信号とサブコードとの間のマージンビットを制御することで、副データをサブコードエリアの例えば先頭部分がピットであるか、ランドであるかにより、埋め込むことができる
記録する主データの種別に応じて副データについての記録方法に変更を加える第３の方法は、副データの２値データ“１”、“０”を、記録媒体の記録属性に対して、どのように対応させるかを、オリジナルデータの場合と、コピーデータの場合とで変更する第１の方法の発展型である。
【０１６５】
すなわち、前述の第１の方法では、図１６に示したように、副データの２値データ“１”、“０”の、記録媒体の記録属性に対する対応を、オリジナルデータの場合と、コピーデータの場合とで一義的に変更するようにしたが、この第３の方法では、副データの２値データと記録媒体の記録属性との対応を、副データの所定単位ごとに変更すると共に、その変更パターンを、少なくとも、記録する主データがオリジナルデータの場合と、コピーデータの場合とで変更するようにする。
【０１６６】
図１９は、この第３の方法の一例である。この例では、副データの２値データと記録媒体の記録属性との対応は、副データの１ビット単位で変更可能とすると共に、副データの３ビット毎に繰り返すパターンとするものである。すなわち、この図１９の例においては、１セットは１ビットであり、３セット毎に繰り返すパターンとされる。その３セット毎の繰り返しパターンを、この例では、記録する主データがオリジナルデータの場合と、コピーデータの場合とで変更するようにするものである。
【０１６７】
図１９の例の副データ埋込みパターンにおいて、実線は副データの“１”を意味しており、また、破線は副データの“０”を意味している。
【０１６８】
すなわち、オリジナルデータの場合には、副データの３ビット毎の繰り返しのうちの最初のビットでは、ランド“Ｈ”を“１”に、ピット“Ｌ”を“０”に割り当て、２番目のビットでは、ランド“Ｈ”を“０”に、ピット“Ｌ”を“１”に割り当て、３番目のビットでは、ランド“Ｈ”を“１”に、ピット“Ｌ”を“０”に割り当てるようにする。
【０１６９】
コピーデータの場合には、副データの３ビット毎の繰り返しにおいて、ランド“Ｈ”を“０”に、ピット“Ｌ”を“１”に全て割り当てるようにする。
【０１７０】
この第３の例によれば、例えばオリジナルデータが記録されている記録媒体から変調レベルでのデータの複製が行われたとしても、複製後の主データの種別はコピーであるので、副データの埋込みパターンが異なるものとなるので、副データは、正しく再生することができなくなり、不正なコピーを有効に防止することが可能になる。
【０１７１】
なお、上述の図１９の例では、埋込みパターンにおいて、副データの２値データと記録媒体の記録属性との対応の変更単位であるセットは、副データの１ビット毎としたが、複数ビット、例えば１バイト（８ビット）毎で変更可能とするようにしてもよい。また、１セクタや３２セクタ（１パケット／１ブロック）毎に変更可能とするようにしてもよい。
【０１７２】
繰り返しの周期も、３セット毎に限るものではない。オリジナルデータとコピーデータとを区別することができればよいので、繰り返しのセットは２セット以上であればよい。
【０１７３】
上述の第３の方法の変形例として、第４の方法がある。この方法は、副データの２値データと記録媒体の記録属性との対応を、副データの所定データ単位で変更するのではなく、副データのディスク上の記録領域の違いにより変更することにより、副データの埋込みパターンをオリジナルデータの場合と、コピーデータの場合とに応じて変更するものである。
【０１７４】
すなわち、リードインエリアと、リードアウトエリアと、ＴＯＣエリアなどのように、副データを記録するエリアごとに、副データの２値データと記録媒体の記録属性との対応を変更可能とする方法であって、主データの種別により、それら複数個のエリアにおける副データの２値データと記録媒体の記録属性との対応を変更するようにする。
【０１７５】
主データの種別に応じて、副データを記録するエリアを変更するようにしてもよい。
【０１７６】
以上説明した、記録する主データの種別に応じて副データについての記録方法に変更を加える第１の方法と、第２の方法とを組み合わせることも、勿論可能である。すなわち、主データの種別に応じて、副データの“０”、“１”のピット、ランドなどの記録属性との対応関係を変更すると共に、副データを埋め込む記録パターンを、主データの種別に応じて変更するものである。
【０１７７】
主データの種別に応じて副データについての記録方法に変更を加える第１の方法、第２の方法、第３の方法あるいは第４の方法を任意に組み合わせることも可能である。例えば、副データは、主データの種別により異なる特定の記録パターンを含む所定データ部分に記録すると共に、副データの“０”、“１”と、ピット、ランドなどの記録属性との対応関係の変更を含む副データの埋込みパターンを、主データの種別により異ならせるものである。
【０１７８】
なお、上述の第３の方法や第４の方法と、第２の方法の特定の記録パターンとを組み合わせる方法の場合には、埋込みパターンと、埋め込まれる位置を特定するための特定の記録パターンとの両方が判らないと、副データの再生ができないので、より、秘匿性が高くなるものである。
【０１７９】
［主データがオリジナルデータか、コピーデータかの識別の方法］
オーサリング装置により、データを記録する場合においては、記録する主データがオリジナルデータか、コピーデータかを示す識別子を記録装置に入力し、その識別子を、例えば主データのヘッダ情報に含めて記録したり、また、ＴＯＣ情報に含めて記録するようにする。
【０１８０】
このディスクの再生の場合には、ディスクからＴＯＣ情報を読み出したり、ヘッダ情報を再生することにより、主データがオリジナルか、コピーかを識別することができる。
【０１８１】
ユーザが利用するデータ記録装置の場合には、ユーザ自身が作成したデータ以外は、コピーデータである。したがって、例えば、マイクロホン端子を記録装置が備えている場合には、そのマイクロホン端子を通じたデータの記録のときには、オリジナルデータとし、それ以外は、コピーデータとするようにすることができる。
【０１８２】
その場合にも、オリジナルデータか、コピーデータの識別子は、主データのヘッダ情報に含めて記録したり、また、ＴＯＣ情報に含めて記録するようにしておく。
【０１８３】
オリジナルデータを記録することがないユーザ用データ記録装置の場合には、全て主データは、コピーデータとして、その識別子をヘッダやＴＯＣに記録するようにしてもよい。
【０１８４】
なお、オリジナルデータか、コピーデータかの識別子は、主データに電子透かし情報として記録するようにしてもよい。
【０１８５】
［第２の実施の形態の場合のデータ記録装置の例］
図２０は、この第２の実施の形態の場合のデータ記録装置の構成例のブロック図である。なお、図２０中で図１と共通する部分については、図１で用いた指示符号と同一の指示符号を付して詳細な説明は省略する。
【０１８６】
この図２０の例は、第１の実施の形態の図１のオーサリング装置の場合である。図１の装置の構成と異なる点は、図２０の装置では、記録する主データがオリジナルデータであるか、コピーデータであるかの識別子を入力する入力端子６１と、その入力端子６１から入力された識別子を判別するオリジナル／コピー判別回路６２が設けられ、その判別出力がシステムコントローラ２０に供給されると共に、記録変調回路２３に供給される点と、システムコントローラ２０の制御により、上述したように、記録する主データがオリジナルデータであるか、コピーデータであるかにより、副データの埋め込み方法を変更するように制御する点である。
【０１８７】
この例の場合の副データの記録方法の例を、図２１のフローチャートに示す。この図２１のフローチャートは、図１１に示した第１の実施の形態における副データの記録方法の例のフローチャートに対応するものである。
【０１８８】
すなわち、この図２１の例は、主データはＥＦＭによって記録する副データの記録方法の第１の例の場合であり、リードインエリア中のＴＯＣエリアの複数個のセクタのサブコードの先頭部分に、副データを埋め込む場合である。この場合、サブコードエリアには、図１８に示したように、記録する主データの種別に応じて異なる固定パターンが記録される。副データのビット値“０”、“１”を、記録属性に対してどのように対応させるかが、図１６に示したように、記録する主データがオリジナルデータの場合と、コピーデータの場合とで逆となるようにされている。
【０１８９】
この例においては、図２１に示すように、先ず、記録エリアが副データを埋め込むべきエリア、この例ではＴＯＣエリアであるか否か判別する（ステップＳ３１）。ＴＯＣエリアでないときには、副データは埋め込まないので、マージンビットは、前述した３Ｔ以上１１Ｔ以下を確保すると共に、ＤＳＶをできるだけ零にするようなパターンのものを選定して、主データの記録を実行する（ステップＳ３６）。そして、ステップＳ３５に進み、データの記録がすべて終了したか否か判別し、終了したと判別されたときは、記録処理を終了する。ステップＳ３５でデータの記録が未了であると判別したときには、ステップＳ３１に戻る。
【０１９０】
ステップＳ３１で、記録エリアが副データを埋め込むエリアであると判別されたときには、記録しようとする主データが、その主データの種別に応じて副データを埋め込むべき所定パターン部分、この例では同期信号及びサブコードのパターン部分であるか否かを判別し（ステップＳ３２）、そうでなければ、ステップＳ３６に進み、上述の主データのみの記録の場合と同様の処理を行う。
【０１９１】
ステップＳ３２で、記録しようとする主データが、副データを埋め込むべき所定パターン部分である同期信号及びサブコードのパターン部分であると判別されたときには、この例において副データとして埋め込むべき暗号キーの２値データが“０”であるか、“１”であるかを判別し（ステップＳ３３）、判別した副データの２値データに応じた記録属性となるように、記録しようとする主データがオリジナルデータか、コピーデータかに応じてマージンビットを選定する（ステップＳ３４）。
【０１９２】
例えば、ステップＳ３４においては、記録しようとする主データがオリジナルデータの場合には、副データと記録属性の例えばピット、ランドとの対応は、図１６の表の上側に示すような関係とされるので、副データとしての暗号キーのデータに応じて、サブコードエリアの先頭のビット位置の記録属性が、図１６の関係を満足する記録属性となるように、マージンビットを選定する。
【０１９３】
また、記録しようとする主データがコピーデータの場合は、副データと記録属性の反射率の違いとの対応は、図１６の表の下側に示すようなものとされるので、同様にして、副データとしての暗号キーのデータに応じて、サブコードエリアの先頭のビット位置の記録属性が、図１６の関係を満足する記録属性となるように、マージンビットを選定する。
【０１９４】
このステップＳ３４の次には、ステップＳ３５に進み、データの記録がすべて終了したか否か判別し、終了したと判別されたときは、記録処理を終了する。ステップＳ３５でデータの記録が未了であると判別したときには、ステップＳ３１に戻り、上述の処理を繰り返す。
【０１９５】
以上の例は、主データをＥＦＭ方式により変調して記録する場合における副データの記録方法の第１の例の場合であるが、この第２の実施の形態においても、主データを８−１６変調や８−１０変調によって記録する副データの記録方法の第２の例が適用可能である。
【０１９６】
すなわち、この副データの記録方法の第２の例の場合には、例えば図２１のフローチャートにおいては、ステップＳ３４及びステップＳ３６において、マージンビットを選定する代りに、変調パターンをＤＳＶをコントロールするように選定するものである。
【０１９７】
［第２の実施の形態の場合のデータ再生方法の例］
図２２は、第２の実施の形態の場合のデータ再生方法の例を説明するためのフローチャートである。この例は、前述の図２１のデータ記録方法の例に対応するデータ再生方法の場合の例である。
【０１９８】
すなわち、図２２に示すように、先ず、記録媒体としてのディスクから読み出したデータのヘッダ情報により、あるいはディスクのＴＯＣ情報から、ディスクに記録されている主データの種別がオリジナルデータであるか、コピーデータであるかを判別する（ステップＳ４１）。
【０１９９】
次に、その判別結果に基づいて、副データのデコードを行う（ステップＳ４２）。そして、副データのデータができるか否か判別する。このステップＳ４２での判別は、システムコントローラで行なう。ここで、副データのデコードができないときには、その主データは、変調データレベルで不正にコピーされたものである確率が高い。
【０２００】
このため、システムコントローラは、データ再生装置を、強制的にディスクの再生停止状態にし（ステップＳ４７）、液晶ディスプレイなどの表示画面に、不正なコピーにより作製されたディスク媒体である旨のメッセージを表示して、使用者に警報する（ステップＳ４８）。そして、再生処理ルーチンを終了する。
【０２０１】
ステップＳ４３において、副データがデコードできると判別したときには、副データ、つまり、暗号キーを用いて主データのオーディオＰＣＭ信号の暗号化解除処理を実行し（ステップＳ４４）、その暗号化解除ができたか否か判別する（ステップＳ４５）。この判別は、システムコントローラが実行して、暗号化解除ができなかったときには、システムコントローラは、データ再生装置を、強制的に再生停止状態にし（ステップＳ４７）、液晶ディスプレイの画面に、不正なコピーにより作製されたディスク媒体である旨のメッセージを表示して、使用者に警報する（ステップＳ４８）。そして、再生処理ルーチンを終了する。
【０２０２】
ステップＳ４５で暗号化解除ができたと判別したときには、オーディオ再生信号を出力して（ステップＳ４６）、この再生処理ルーチンを終了する。
【０２０３】
以上のようにして、変調データレベルで、データが不正にコピーされたとしても、この第２の実施の形態によれば、そのコピーされたデータの再生ができないようにすることができ、不正コピーを効果的に防止することができる。
【０２０４】
［その他の実施の形態］
上述の第１の実施の形態では、ディスクの種別に応じて副データについての記録方法に変更を加えるようにし、第２の実施の形態では、記録する主データの種別に応じて副データについての記録方法に変更を加えるようにしたが、両者を組み合わせることもできる。
【０２０５】
すなわち、現状においては、市販のＣＤは、ＲＯＭタイプのディスクであり、オリジナルデータのみを取り扱っている。一方、ＣＤ−ＲでディスクやＣＤ−ＲＷディスクはＲＡＭタイプのディスクであるが、少量ではあっても、オリジナルデータを記録した市販のものがある。
【０２０６】
いわゆるバックアップ用のＣＤ（ＣＤ−ＲＯＭディスク）や、販促用特殊ＣＤは、ＲＯＭタイプのディスクであるが、それに記録されている主データは、コピーデータである。主データがコピーデータとなるのは、それの他に、ＣＤ−ＲディスクやＣＤ−ＲＷディスクにユーザによって通常のように複製記録される場合がある。
【０２０７】
このように、ＲＯＭタイプのディスクであるからといって、必ずしも記録されている主データがオリジナルデータである場合のみでなく、また、ＲＡＭタイプのディスクであるからといって、必ずしも記録されている主データがコピーデータである場合のみではない。
【０２０８】
そこで、副データについての記録方法に変更を加える場合に、ディスクの種別と、主データの種別との両方に応じて変更を加える方法が有効である。
【０２０９】
図２３に示す例は、その場合の一例である。すなわち、オリジナルデータが記録されるＲＯＭタイプのディスクと、オリジナルデータが記録されるＲＡＭタイプのディスクと、コピーデータが記録されるＲＯＭタイプのディスクと、コピーデータが記録されるＲＡＭタイプのディスクとの４種に応じて、副データの記録パターンを変更するものである。
【０２１０】
この図２３の例では、１ビット、複数ビット、１セクタ、複数セクタなどのセットの４セット毎に、副データの記録パターンが所定のパターンとなるように副データを記録するものであるが、前記４種のディスクに応じて、その記録パターンを図２３のように変更するものである。
【０２１１】
以上の実施の形態では、記録属性がピットとランド、記録層の屈折率の変化、結晶と非結晶（アモルファス）などの場合について説明したが、この発明は、磁気記録の場合のＮ極とＳ極、光磁気記録の場合の垂直磁化膜における磁化の変化などを記録属性として、データの“０”、“１”を対応させることにより、副デ ータを記録する場合にも適用可能である。
【０２１２】
また、副データは、２つのデータシンボルのうちの後の方のデータシンボルの先頭のビット位置に埋め込む場合に限られるのではなく、先頭から数えて２番目や３番目などのように位置が特定できるビット位置であれば、どのような位置にも副データを埋め込むことが可能である。
【０２１３】
上述の実施の形態では、副データを記録する記録パターンは、ＲＯＭタイプのディスクとＲＡＭタイプのディスクとで変えるようにしたが、ＲＡＭタイプのディスクうちの、例えばＣＤ−ＲディスクとＣＤ−ＲＷディスクとの間でも変えるようにしてもよい。
【０２１４】
副データとして予め定まっているパターンデータを記録しておき、その再生パターンデータにより、副データ“０”、“１”と記録属性との対応関係を調べることにより、記録媒体がＲＯＭタイプの媒体か、ＲＡＭタイプの媒体かを識別するようにすることもできる。
【０２１５】
上述の例では、副データを記録するエリアとして、ＴＯＣエリアの一つを選択するようにしたが、複数個の記録エリアを用いるようにしてもよい。副データを埋め込む所定のデータ部分も、一つの記録パターンの部分としたが、複数種の記録パターン部分を用いるようにしてもよい。複数種の記録パターン部分を用いた方が、副データの秘匿性を、より高めることができる。
【０２１６】
上述の実施の形態では、副データとして暗号キーの情報を埋め込むようにしたが、副データとしては、これに限らず、著作権情報や複製制御情報など、種々の情報を用いることができることは言うまでもない。
【０２１７】
さらに、記録媒体としては、光ディスクのようなディスク媒体に限られるものではなく、磁気テープ、光テープ、磁気カード、光カード、半導体メモリ、カードメモリなど、どのような記録媒体にもこの発明は適用可能である。
【０２１８】
記録データは、オーディオデータに限られるものではなく、ビデオデータやテキストデータ、その他のデータであっても、この発明は適用可能であることは言うまでもない。
【０２１９】
【発明の効果】
以上説明したように、本発明によれば、秘匿して記録した副データを用いることにより、変調データレベルで記録データのビットの伝達（コピー）が行われた場合であっても、不正コピーを簡単に検出することができる。
【図面の簡単な説明】
【図１】  図１は、本発明に係るデータ記録装置を示すブロック図である。
【図２】  図２は、本発明に係るデータ記録装置及び記録方法によりデータが記録される記録媒体を示す平面図である。
【図３】  図３は、本発明に係る記録媒体に記録されるデータの記録データフォーマットの一部を説明するための図である。
【図４】  図４Ａ乃至図４Ｇは、本発明によるデータ記録方法により記録される記録データの繋ぎ目の説明に用いる図である。
【図５】  図５Ａ乃至図５Ｄは、本発明に係るデータ記録方法により記録される副データの記録方法の説明に用いる図である。
【図６】  図６は、本発明に係るデータ記録方法により副データを記録する方法の一例の説明に用いる図である。
【図７】  図７は、本発明に係るデータ記録方法により副データを記録する方法の一例の説明に用いる図である。
【図８】  図８は、本発明に係るデータ記録方法により副データを記録する方法の一例の説明に用いる図である。
【図９】  図９は、本発明に係るデータ記録方法により副データを記録する方法の一例の説明に用いる図である。
【図１０】  図１０は、本発明に係るデータ記録装置を示すブロック図である。
【図１１】  図１１は、本発明に係る第１の実施の形態のデータ記録方法を説明するためのフローチャートである。
【図１２】  図１２は、本発明に係る第１の実施の形態のデータ記録方法を説明するためのフローチャートである。
【図１３】  図１３は、本発明に係る第１の実施の形態のデータ記録方法を説明するためのフローチャートである。
【図１４】  図１４は、本発明に係るデータ再生装置を示すブロック図である。
【図１５】図１５は、本発明に係るデータ再生方法を説明するためのフローチャートである。
【図１６】  図１６は、本発明に係る第２の実施の形態の記録方法により副データを記録する方法の一例の説明に用いる図である。
【図１７】  図１７は、本発明に係る第２の実施の形態の記録方法により副データを記録する方法の一例の説明に用いる図である。
【図１８】  図１８は、本発明に係る第２の実施の形態の記録方法により副データを記録する方法の一例の説明に用いる図である。
【図１９】  図１９は、本発明に係る第２の実施の形態の記録方法により副データを記録する方法の一例の説明に用いる図である。
【図２０】  図２０は、本発明に係る第２の実施の形態のデータ記録方法を適用するデータ記録装置を示すブロック図である。
【図２１】  図２１は、本発明に係る第２の実施の形態よるデータ記録方法を説明するためのフローチャートである。
【図２２】  図２２は、本発明に係るデータ再生方法を説明するためのフローチャートである。
【図２３】  図２３は、本発明に係る第２の実施の形態よるデータ記録方法により副データを記録する方法の一例の説明に用いる図である。
【図１】
0004784036.tif 000002
【図２】
0004784036.tif 000003
【図３】
0004784036.tif 000004
【図４Ａ】
0004784036.tif 000005
【図４Ｂ】
0004784036.tif 000006
【図４Ｃ】
0004784036.tif 000007
【図４Ｄ】
0004784036.tif 000008
【図４Ｅ】
0004784036.tif 000009
【図４Ｆ】
0004784036.tif 000010
【図４Ｇ】
0004784036.tif 000011
【図５Ａ】
0004784036.tif 000012
【図５Ｂ】
0004784036.tif 000013
【図５Ｃ】
0004784036.tif 000014
【図５Ｄ】
0004784036.tif 000015
【図６】
0004784036.tif 000016
【図７】
0004784036.tif 000017
【図８】
0004784036.tif 000018
【図９】
0004784036.tif 000019
【図１０】
0004784036.tif 000020
【図１１】
0004784036.tif 000021
【図１２】
0004784036.tif 000022
【図１３】
0004784036.tif 000023
【図１４】
0004784036.tif 000024
【図１５】
0004784036.tif 000025
【図１６】
0004784036.tif 000026
【図１７】
0004784036.tif 000027
【図１８】
0004784036.tif 000028
【図１９】
0004784036.tif 000029
【図２０】
0004784036.tif 000030
【図２１】
0004784036.tif 000031
【図２２】
0004784036.tif 000032
【図２３】
0004784036.tif 000033